(57)【要約】【課題】対象物に堆積する堆積物の程度を検出することができる検出装置を提供すること。【解決手段】白板２１および黒板２２の反射率は互いに異なるため、白板反射光ＬＷおよび黒板反射光ＬＢの強度の違いは、白黒板２０に堆積物が堆積していない状態で最も大きく、堆積の程度が大きくなるほど小さくなる。したがって、白板反射光ＬＷおよび黒板反射光ＬＢの強度の違いに基づいて、白板２１および黒板２２に堆積する堆積物の堆積の程度を検出することができる。白黒板２０は、堆積物の堆積態様がソーラーパネル３と同じ環境下にあるため、白黒板２０に堆積する堆積物の堆積の程度を検出することにより、ソーラーパネル３に堆積する堆積物の堆積の程度を検出することができる。【選択図】図２
2018021855.tif 000002
【特許請求の範囲】
【請求項１】
対象物に堆積する堆積物の堆積の程度を検出する検出装置であって、
被照射部に光を照射する照射部と、
前記照射部から照射された光の被照射部からの反射光である反射光を受光する受光部と、を備え、
前記反射光の強度に基づいて、前記対象物に堆積する堆積物の堆積の程度を検出する検出装置。
【請求項２】
前記被照射部は、前記堆積物の堆積態様が前記対象物と同じ環境下にあることを特徴とする請求項１に記載の検出装置。
【請求項３】
前記被照射部は、前記対象物とは異なるものであり、前記堆積物が堆積する堆積面の性状は前記対象物の堆積面と同等であることを特徴とする請求項１または請求項２に記載の検出装置。
【請求項４】
前記被照射部は厚みが僅少な薄状部材であり、前記対象物の堆積面に載置することを特徴とする請求項１乃至請求項３の何れか１項に記載の検出装置。
【請求項５】
前記被照射部を、前記対象物とは離間した位置であって、前記対象物への前記堆積物の堆積を妨げないとともに、前記対象物の有する作用効果を妨げない位置に配置することを特徴とする請求項１乃至請求項４の何れか１項に記載の検出装置。
【請求項６】
前記被照射部を、前記照射部および前記受光部の直下を除く位置に配置することを特徴とする請求項１乃至請求項５の何れか１項に記載の検出装置。
【請求項７】
前記被照射部を、前記対象物への前記堆積物の堆積を妨げないとともに、前記照射部および前記受光部から前記反射光の強度を検出可能な距離離間して配置することを特徴とする請求項１乃至請求項６の何れか１項に記載の検出装置。
【請求項８】
前記照射部が照射する光は周辺の外乱光とは異なる特性を有する光であることを特徴とする請求項１乃至請求項７の何れか１項に記載の検出装置。
【請求項９】
前記受光部を周辺の外乱光が直接入射しない位置に配置することを特徴とする請求項１乃至請求項８の何れか１項に記載の検出装置。
【請求項１０】
前記被照射部は、互いに反射率の異なる第１被照射部および第２被照射部を有し、
前記受光部は、前記照射部から照射された光の前記第１被照射部からの反射光である第１反射光および前記第２被照射部からの反射光である第２反射光を受光し、
前記反射光の強度に基づく前記対象物に堆積する堆積物の堆積の程度の検出は、前記第１反射光および前記第２反射光の強度の違いに基づくものであることを特徴とする請求項１に記載の検出装置。
【請求項１１】
前記第１被照射部と前記２被照射部とを隣接して配置することを特徴とする請求項１０に記載の検出装置。
【請求項１２】
前記受光部は、
前記第１反射光および前記第２反射光を集光するレンズと、
前記レンズの後段に前記第１反射光および前記第２反射光の有する波長域を通すとともに、前記第１反射光および前記第２反射光の有する波長域以外の光を通しにくくする第１手段と、を備えることを特徴とする請求項１０または請求項１１に記載の検出装置。
【請求項１３】
前記照射部は、第１所定周期で照射・非照射を繰り返し、
前記受光部は、
前記第１反射光を受光し第１電気信号に変換する第１受光部と、
前記第２反射光を受光し第２電気信号に変換する第２受光部と、
前記第１所定周期の電気信号を通過させる第２手段と、を備え、
前記第２手段を通過させた前記第１電気信号および前記第２電気信号に基づいて、前記強度の違いを求めることを特徴とする請求項１０乃至請求項１２の何れか１項に記載の検出装置。
【請求項１４】
前記受光部は、
前記第１反射光を受光し第１電気信号に変換する第１受光部と、
前記第２反射光を受光し第２電気信号に変換する第２受光部と、
前記第１電気信号を増幅して第１増幅信号を出力する第１増幅器と、
前記第２電気信号を増幅して第２増幅信号を出力する第２増幅器と、を備えることを特徴とする請求項１０乃至請求項１３の何れか１項に記載の検出装置。
【請求項１５】
前記強度の違いとして、前記第１反射光の強度に対する前記第２反射光の強度の比とすることを特徴とする請求項１０乃至請求項１４の何れか１項に記載の検出装置。
【請求項１６】
前記受光部は、
前記第１反射光を受光し第１電気信号に変換する第１受光部と、
前記第２反射光を受光し第２電気信号に変換する第２受光部と、を備え、
前記第１電気信号および前記第２電気信号が時分割により１つにされた第３電気信号に基づいて、前記強度の違いを求めることを特徴とする請求項１０乃至請求項１５の何れか１項に記載の検出装置。
【請求項１７】
前記受光部は、
前記第１反射光を受光し第１電気信号に変換する第１受光部と、
前記第２反射光を受光し第２電気信号に変換する第２受光部と、を備え、
前記第１電気信号および前記第２電気信号が時分割により１つにされた第３電気信号を積分して第４電気信号を出力する第３手段と、を備え、
前記第４電気信号を前記強度の違いとすることを特徴とする請求項１０乃至請求項１６の何れか１項に記載の検出装置。
【請求項１８】
前記受光部は、
前記第１反射光を受光し第１電気信号に変換する第１受光部と、
前記第２反射光を受光し第２電気信号に変換する第２受光部と、
前記第１電気信号および前記第２電気信号を対数変換して出力する出力手段と、を備え、
前記出力手段から出力される前記対数変換された第１電気信号と前記対数変換された第２電気信号との差分を前記強度の違いとすることを特徴とする請求項１０乃至請求項１７の何れか１項に記載の検出装置。
【請求項１９】
前記受光部は、
前記第１反射光を受光し第１電気信号に変換する第１受光部と、
前記第２反射光を受光し第２電気信号に変換する第２受光部と、
前記第１電気信号および前記第２電気信号を対数変換して出力する出力手段と、を備え、
前記第１受光部および前記第２受光部と前記出力手段との間に介在し、前記出力手段に至る経路への接続を、前記第１受光部と前記第２受光部との間で、
第２所定周期で交互に切り替える切替部を備えることを特徴とする請求項１０乃至請求項１８の何れか１項に記載の検出装置。
【請求項２０】
前記受光部は、
前記第１反射光を受光し第１電気信号に変換する第１受光部と、
前記第２反射光を受光し第２電気信号に変換する第２受光部と、
前記第１電気信号および前記第２電気信号を対数変換して出力する出力手段と、を備え、
前記出力手段から出力される前記対数変換された第１電気信号と前記対数変換された第２電気信号との差分を出力することを特徴とする請求項１０乃至請求項１９の何れか１項に記載の検出装置。
【請求項２１】
前記被照射部の色は、前記堆積物の色とは異なることを特徴とする請求項１乃至請求項２０の何れか１項に記載の検出装置。
【請求項２２】
前記第１被照射部は白色であり、前記第２被照射部は黒色であることを特徴とする請求項１０乃至請求項２１の何れか１項に記載の検出装置。
【請求項２３】
前記請求項１乃至２２に記載の検出装置により行われる信号処理には、ソフトウェアによる処理は介在しないことを特徴とする請求項１乃至請求項２２の何れか１項に記載の検出装置。
【請求項２４】
前記照射部および前記受光部は、防塵性があることを特徴とする請求項１乃至請求項２３の何れか１項に記載の検出装置。
【請求項２５】
前記第１被照射部からの反射光と前記第２被照射部からの反射光との前記強度の違いが所定値以下であることに応じて、前記対象物を洗浄する洗浄部に対して前記対象物を洗浄するための指示信号を出力することを特徴とする請求項１０乃至請求項２４の何れか１項に記載の検出装置。
【請求項２６】
前記被照射部、前記照射部、および前記受光部は、前記対象物を洗浄する洗浄部による洗浄に対して耐性があることを特徴とする請求項１乃至請求項２５の何れか１項に記載の検出装置。
【請求項２７】
前記被照射部は、前記対象物の所定領域ごとに配置され、
該所定領域ごとに備えられている洗浄ノズルによる洗浄は、前記洗浄ノズルが備えられる前記所定領域に配置される前記第１被照射部からの反射光と前記第２被照射部からの反射光との前記強度の違いに基づいて、前記所定領域毎に行われること特徴とする請求項１０乃至請求項２６の何れか１項に記載の検出装置。
【請求項２８】
前記対象物の洗浄のための操作を人が行うための洗浄操作部の位置において、人が堆積の程度を認知可能なように前記堆積の程度を報知する報知部を備えることを特徴とする請求項１乃至請求項２７の何れか１項に記載の検出装置。
【請求項２９】
前記対象物はソーラーパネルであり、
前記対象物の温度を検出する温度検出器を備え、
前記温度検出器が検出した温度が所定温度以上であることに応じて、前記対象物を水洗浄する洗浄部に洗浄を指示する指示信号を出力することを特徴とする請求項１乃至請求項２８の何れか１項に記載の検出装置。
【請求項３０】
前記対象物はソーラーパネルであり、
前記対象物を洗浄することにより増加する発電量に基づく利益と、前記対象物の洗浄にかかる費用と、を予測することを特徴とする請求項１乃至請求項２９の何れか１項に記載の検出装置。
【請求項３１】
ネットワークを介して前記堆積の程度を出力するネットワーク出力手段を備えることを特徴とする請求項１乃至請求項３０の何れか１項に記載の検出装置。
【請求項３２】
前記堆積の程度を所定の期間単位で可視化して表示可能な情報を生成して出力する情報出力手段を備えることを特徴とする請求項１乃至請求項３１の何れか１項に記載の検出装置。
【請求項３３】
前記堆積の程度に前記対象物の位置情報を付加した情報を出力する情報出力手段を備えることを特徴とする請求項１乃至請求項３２の何れか１項に記載の検出装置。
【請求項３４】
前記堆積の程度が所定状態となることに応じて、予め記憶している通知先情報に基づいて通知することを特徴とする請求項１乃至請求項３３の何れか１項に記載の検出装置。
【請求項３５】
請求項１から請求項３４のいずれかに記載の検出装置と前記対象物とを備えるシステム。
【請求項３６】
請求項１から請求項３４のいずれかに記載の検出装置と、前記対象物とは異なる前記被照射部となる物とを備えるシステム。
【発明の詳細な説明】
【技術分野】
【０００１】
本発明は、検出装置などに関するものである。
【背景技術】
【０００２】
従来より、降灰を検出するための装置がある。特許文献１には、照射部を備え、照射部より照射された光ビームの所定領域を横切った通過光の光量および所定領域内で散乱された散乱光の光量を受光して、所定領域内を降下する火山灰の有無を検知する火山灰検知装置が記載されている。
【先行技術文献】
【特許文献】
【０００３】
【特許文献１】特開２００７−３２７８８９号公報
【発明の概要】
【発明が解決しようとする課題】
【０００４】
ところで、火山灰に限らず、例えば、塵、花粉などの堆積物は、例えば、建築物、屋外に置かれた展示物、車両などに堆積する。堆積物の堆積の程度を検出するためには、堆積物は風などにより除去されることもあり、降灰の有無を検出するだけでは不十分であり、検討の余地があった。例えば、上記特許文献１に記載の火山灰検知装置は、降灰の有無を検出できるものの、火山灰が堆積した場合の堆積の程度を検出するものではない。
【０００５】
本願は、上記の課題に鑑み提案されたものであって、対象物に堆積する堆積物の程度を検出することができる検出装置等を提供することを目的とする。この目的は、例えば特許請求の範囲における独立請求項に記載の構成により達成される。また従属請求項は、例えば各々の従属請求項で単独に、あるいは従属請求項を組み合わせて、本願目的を達成する際の更なる有利な具体例を提供する。
【課題を解決するための手段】
【０００６】
（１）本発明の検出装置は、対象物に堆積する堆積物の堆積の程度を検出する検出装置であって、被照射部に光を照射する照射部と、照射部から照射された光の被照射部からの反射光である反射光を受光する受光部と、を備え、反射光の強度に基づいて、対象物に堆積する堆積物の堆積の程度を検出する。
【０００７】
このようにすれば、堆積の程度を検出することができる。例えば、鹿児島県では、活火山である桜島が県央にある。図１２に気象台が提供した桜島の噴火回数と降灰量を示す。2009年から増大し、農業(2011年の被害額672,400万円)、畜産業、水産業への被害は膨大で、ソーラーパネルの発電低下、洗濯物への灰付着など社会的な問題となっている。特に農作物の場合には、降灰量が少量でも問題になる。また、畜産業、水産業では、エサに灰が付着する被害などがある。例えば、桜島周辺の錦江湾ではブリやカンパチなどの養殖漁業が盛んに行われており、軽石を含む桜島の火山灰やその浮遊物は、漁船の航行障害や魚類養殖における給餌作業への影響（例えば、火山灰軽石を食べてしまう、餌に混ざるなど）など、漁業に海水面の環境を悪化させ養殖漁業に被害を与えている。また、大量の火山灰は、漁船の航行障害や魚類養殖における餌付作業へ影響を与えることなどにより、一時的に湾内の漁獲量の減少をもたらす。鹿児島県は６２ケ所の地点に降灰収集箱を設置し、１０日ごとに降灰測定を実施し、結果を公開している。鹿児島地方気象台（地方気象台）の気象官は、例えば降灰収集箱で収取した灰の重量を電子天秤で測定することにより、灰計測を行う。このように、灰計測は原始的な計測に頼っているのが現状である。本検出装置によれば、例えば、このような人手を介することなく、容易に、堆積の程度を知ることができる。また、光を使用しての検出なので例えば非接触で検出することができる。本検出装置と本検出装置を用いた降灰情報のモニタリングシステムは、例えば降灰測定を行っている県、市町村などにおいて活用すると良い。また、例えば、降灰情報を活用して、噴霧装置によるソーラーパネルの灰除去、農作物の灰除去、餌つけを決める養殖産業、養殖魚の育成状態を監視するシステムなど地場産業に活用しても良い。また、降灰量をリアルタイムに検出し、モニタリングする装置とすると特に良い。尚、以下の説明において、ソーラーパネルを太陽光パネル、太陽電池、太陽電池アレイと記載する場合がある。
【０００８】
被照射部は堆積物の堆積態様が対象物と違う環境下にあると良い。例えば、対象物に堆積する堆積物の堆積の程度の検出は、被照射部からの反射光の強度と、対象物に堆積する堆積物の堆積の程度との関係性を予め求め、例えば、その関係性に基づいて算出すると良い。この関係性は、例えば、予め測定して記憶しておき、その記憶している関係性に基づいて、堆積の程度を検出すると良い。この検出は算出によって行うと良い。「被照射部に」は、例えば「被照射部の方へ」とするとよい。特に「被照射部へ向けて」とするとよい。照射部および受光部は各々被照射部の方を向いているようにすると良い。被照射部は、動く物としてもよいが、動かない物とするとよい。特に固定された物とするとよい。被照射部は堆積物とは異なる物とすると特によい。被照射部は対象物そのものとしてもよいが、対象物とは異なる物とすると特によい。被照射部からの反射光は、例えば被照射部に堆積物がない状態では被照射部そのものの反射光として強度を検出されるようにするとよい。また、被照射部からの反射光は、例えば被照射部に堆積物が積もるにつれ反射光量が堆積物によって変化して検出されるようにするとよい。特に堆積物が積もるにつれて反射光量が減少して検出されるようにするとよい。
【０００９】
尚、堆積の程度としては、例えば対象物、および被照射部の堆積面に堆積物が覆う程度、堆積物により堆積面に照射される光が遮られる程度、あるいは堆積物が堆積した状態を見た人が感じる汚れの程度などとすると良い。堆積物は、例えば風、雨などの気象条件により、あるいは人や装置により除去、洗浄される等により、堆積面から除去されるものとすると良い。堆積態様としては、堆積物が、対象物、および被照射部の堆積面上に堆積しあるいは除去される際の状況とすると良い。例えば、風、雨などの当り具合が同等で堆積物が排除される状態が同等であり、人や装置による堆積物の除去や洗浄の状態が同等である状況にあるものとすると良い。堆積態様が同じ環境下としては、堆積物が堆積しあるいは除去される状況が、対象物と、被照射部との間で同等であるものとすると良い。照射部により照射される光は、例えば、赤外光、可視光、紫外光などとすると良いが、特に（８）のようにすると良い。照射部により照射された光を用いることにより、例えば天候により光の強度が左右される太陽光などを用いるよりも、環境によらず安定して検出することができる。照射部は例えば、発光ダイオード、半導体レーザなどにより実現すると良い。受光部は、例えばフォトダイオード、フォトトランジスタなどにより実現すると良い。
【００１０】
また、対象物は例えば屋内・屋外に設置された物とし、堆積物は屋内・屋外に設置された物に積もる物とすると良い。ただし、特に良いのは、対象物が屋外に設置されている物であって、堆積物が屋外に設置されている物に堆積する、屋外の空間を浮遊する浮遊物とした場合である。対象物は、例えば、ソーラーパネル、建築物、屋外に置かれた展示物、車両などとすると良く、堆積物は、例えば、火山灰、塵、花粉などとすると良い。検出した堆積物の堆積の程度に基づいて堆積物を除去する除去部に対して、除去の指示信号を出力し、当該指示信号に基づいて除去部が堆積物を除去する構成とするとよい。例えば除去部は、洗浄部として構成し、検出した堆積物の堆積の程度に基づいて洗浄部に対して、洗浄の指示信号を出力し、当該指示信号に基づいて洗浄部が堆積物を洗浄する構成とするとよい。特に、堆積の程度をリアルタイムに出力する構成とすると良い。例えば堆積物が火山灰の場合には、降灰の情報をリアルタイムに取得することで、原始的な灰計測の手間とデータ収集の問題が解決できるとともに、地場産業、とりわけ、農畜産業における農作物や養豚などの灰除去予測、水産業の魚への影響を定量的に分析が可能となることから地域における環境問題解決の一端となる。
【００１１】
また、本検出装置の電源は、太陽電池パネルの発電した電力を利用するようにするとよい。特に、太陽電池パネルの発電した電力線を本検出装置の入力とし、本検出装置への太陽電池パネルからの電力供給がないときには、洗浄装置に対して洗浄信号を出力しないようにするとよい。このようにすれば、例えば夜間など、太陽が照っていないときに洗浄装置が稼働することを防止することができ、太陽が照り始めたときに本検出装置が動作し始める。そしてその動作し始めたときに灰等の堆積物の堆積量が洗浄に必要な量であった場合には、洗浄がなされることになる。よって、太陽が照っている発電がなされる状態で洗浄が必要なときに洗浄をさせることが容易に可能となる。夜間の降灰等で一旦灰がたくさん積もってしまうと、以降に太陽が照っても太陽電池パネルは発電出来ないので、太陽電池パネルの電力だけで本検出装置を動作させると、ずっと洗浄信号が出力されない可能性がある。そこで、太陽電池パネルからの電力のみによらず、他の電源からの電力も本検出装置に供給して稼働させるようにするとよい。他の電源としては例えば商用電源からの供給を受けるようにしてもよいが、電池からの供給をうけるようにするとよく、特に、太陽電池パネルからの電力を充電しておく二次電池からの供給を受けるようにするとよい。
【００１２】
また、被照射部は対象物と異なる環境とすると良い。特に、対象物に対して堆積物が堆積する割合よりも大きい割合で堆積する箇所に前記被照射部を設けると良い。このようにすれば、対象物に堆積物が堆積する程度をいち早く検知できる。このように、異なる環境下にしても良いが、次の（２）のようにすると良い。
【００１３】
（２）被照射部は、堆積物の堆積態様が対象物と同じ環境下にある構成としても良い。このようにすれば、被照射部に堆積する堆積物の堆積の程度を検出することにより、対象物に堆積する堆積物の堆積の程度をより正確に検出することができる。被照射部は例えば、対象物そのものとしても良いが、対象物とは異なる物とすると良い。例えば、養殖魚の育成状態を監視するシステムに活用する場合には、本検出装置を魚群囲い近傍の陸地に設置しても良いが、魚群囲いに隣接させて海上に設置すると良い。本検出装置を海上に設置する場合には、（３１）のように、ネットワーク、特に無線ネットワークにより堆積の程度を出力する構成とすると良い。堆積の程度を転送された陸上のモニタシステムにて、ユーザは状況を把握することができる。また、本検出装置の電源は、上記したように、太陽電池パネルの発電した電力を利用するようにするとよい。また、対象物を複数としても良い。例えば、本検出装置を設置する魚群囲いと同等の海域と、本検出装置への給電用の太陽光パネルとを、対象物としても良い。対象物が複数の場合、（２５）の所定値は後述するように、対象物により異なる場合があるため、各々の所定値に基づいて（２５）の指示信号を出力する構成とすると良い。このようにすれば、対象物が複数で、所定値以下となるタイミングが異なる場合にも、複数の対象物について（２５）の指示信号を出力することができる。
【００１４】
（３）被照射部は、対象物とは異なるものであり、堆積物が堆積する堆積面の性状は対象物の堆積面と同等である構成とする良い。
【００１５】
このようにすれば、対象物の堆積面と、被照射部の堆積面による堆積態様を両者間で同じ環境下とすることができ、対象物の堆積面と、被照射部の堆積面との間で堆積の程度を同等とすることができる。対象物への堆積の程度を精度良く検出することができる。性状としては、例えば物理的性状、化学性状などとすると良い。物理的性状は、例えば堆積面の摩擦係数、表面の凸凹の程度、表面張力などであり、化学的性状は、例えば堆積面の親水性などである。物理的性状および化学的性状が、対象物の堆積面と被照射部の堆積面との間で同等であることにより、特に堆積物が除去される場合に、風、雨などの気象条件による堆積物の除去、人や装置による堆積物の除去や洗浄などを同等にすることができる。
【００１６】
（４）被照射部は厚みが僅少な薄状部材であり、対象物の堆積面に載置する構成とすると良い。
【００１７】
このようにすれば、被照射部が載置される対象物の堆積面と、薄状部材である被照射部の堆積面との段差を僅少にすることができる。段差の周辺において、段差によって堆積態様が不均一になることを抑制することができる。被照射部への堆積の程度が対象物への堆積の程度と異なってしまうことを抑制することができる。対象物、および被照射部は風雨があたる環境下にあると良い。例えば、段差があることによって、風雨により堆積物が除去される場合には、段差により風や雨水の流れが変化し、被照射部と対象物とで堆積態様が異なる環境になるおそれがあることを見出した。被照射部の厚みを薄状部材で構成すれば、堆積態様を同じ環境とすることができる。堆積の程度が対象物と同等となり、堆積の程度を精度良く検出することができる。厚みが僅少な薄状部材としては、例えば、シール状の部材とすると良い。
【００１８】
（５）被照射部は、対象物とは離間した位置であって、対象物への堆積物の堆積を妨げられないとともに、前記対象物の有する作用効果を妨げない位置に配置する構成とすると良い。
【００１９】
被照射部は対象物への堆積物の堆積を妨げないとともに、対象物の有する作用効果を妨げない位置、例えば対象物の上方、横などの対象物とは離間した位置に配置すると良い。このようにすれば、対象物が有する作用効果が被照射部の存在により妨げられることはない。例えば、対象物がソーラーパネルであれば、被照射部により太陽光が遮られることが抑制されることにより、発電を妨げることを抑制することができる。また、被照射部は、対象物への堆積物の堆積が妨げられない位置に離間して配置されるため、対象物、被照射部は、堆積物の堆積態様が同じ環境下にあるため、各々の間で堆積の程度は同等となり、堆積の程度を精度良く検出することができる。尚、（４）と（５）の構成を組み合わせる構成としては、例えば被照射部の一端を対象物の堆積面に載置し、他端を対象物と離間した位置に配置する構成とすると良い。
【００２０】
照射部および受光部は、堆積物が被照射部までに主として通る堆積経路を除く位置にあると良く、特に、（６）被照射部を、照射部および受光部の直下を除く位置に配置すると良い。
【００２１】
照射部および受光部の直下を除く位置であれば、堆積物が重力に応じて落下する場合、堆積物の堆積経路を照射部および受光部が遮らないため、照射部、受光部が影となり被照射部への堆積物の堆積が妨げられることが抑制される。このため、被照射部は、対象物と堆積態様が同じ環境下となり、対象物、および被照射部の間で堆積物の堆積の程度が同等となり、堆積の程度を精度良く検出することができる。
【００２２】
（７）被照射部を、対象物への堆積物の堆積を妨げないとともに、照射部および受光部から反射光の強度を検出可能な距離離間して配置する構成とすると良い。
【００２３】
照射部および受光部により堆積物の移動が遮られる場合にも、照射部および受光部と被照射部との距離が対象物への堆積物の堆積を妨げず、強度を検出可能な範囲で距離離れていれば、照射部および受光部を通過した堆積物は、照射部および受光部と被照射部との間に回り込むことができ、照射部および受光部が被照射部への堆積物の堆積を妨げることが抑制される。被照射部は、対象物と堆積態様が同じ環境下となり、対象物、被照射部の間で堆積物の堆積の程度が同等となり、堆積の程度を精度良く検出することができる。
【００２４】
（８）照射部が照射する光は周辺の外乱光とは異なる特性を有する光である構成とすると良い。
【００２５】
外乱光としては、例えば、太陽光、街灯、自動車や鉄道などのライト、店舗や住宅などで使用される照明などが直接に受光部に入射した光、あるいは対象物、被照射部などで反射されて入射する光が想定可能である。受光部は反射光の他に外乱光も受光してしまうおそれがあるが、照射部が照射する光が周辺の外乱光とは異なる特性を有することにより、受光部は反射光を選別することができ、堆積量を精度良く検出することができる。ここで、周辺の外乱光とは異なる特性を有する光とは、反射光と区別できる光である。特性としては、例えば、波長、明滅の繰り返しパターン、明滅の繰り返しの周期などとすると良い。ところで、例えば、堆積物を火山灰とした場合、火山灰に赤外ＬＥＤ光を照射し、灰からの反射光をＣｄＳ（硫化カドミウム）で受光して、ＣｄＳの電圧変化が降灰量に比例することを実験的に確認し、降灰量を光学的に測定できることが分かった。しかしながら、ＣｄＳの受光スペクトルは可視光にも反応するため、ＣｄＳが外光の影響を受けないようにする必要があることがわかった。単純に受光素子をＣｄＳとすると、外光の影響を受けるが、（８）のようにすれば、影響を受けなくなることを発明者らは発見した。
【００２６】
（９）受光部を周辺の外乱光が直接入射しない位置に配置する構成とすると良い。
【００２７】
外乱光を受光しない位置に受光部を配置することにより、受光部に入射して検出誤差を招来するノイズ光を除去し、さらにノイズ光が受光部の検出限界を超えた強い光である場合には検出自体が不能となってしまう事態を避けることができる。尚、太陽は季節・日時により位置・高度が変化するため、年間を通して太陽光が入射しない位置、あるいは入射する期間が短い位置に受光部を配置すると良い。また、街灯、自動車や鉄道などのライト、店舗や住宅などの照明は、光源の方向が特定できるので、光源方向を避けた方向に受光部を配置すると良い。
【００２８】
（１０）被照射部は、互いに反射率の異なる第１被照射部および第２被照射部を有し、受光部は、照射部から照射された光の第１被照射部からの反射光である第１反射光および第２被照射部からの反射光である第２反射光を受光し、反射光の強度に基づく対象物に堆積する堆積物の堆積の程度の検出は、第１反射光および第２反射光の強度の違いに基づくものであることとすると良い。
【００２９】
第１被照射部および第２被照射部の反射率は互いに異なるため、第１反射光および第２反射光の強度の違いは、第１被照射部および第２被照射部に堆積物が堆積していない状態で最も大きく、堆積の程度が大きくなるほど小さくなる。堆積の程度が多くなるほど、第１反射光および第２反射光の強度の違いは小さくなる。したがって、第１反射光および第２反射光の強度の違いに基づいて、第１被照射部および第２被照射部に堆積する堆積物の堆積の程度を検出することができる。
【００３０】
（１１）第１被照射部と２被照射部とを隣接して配置する構成とすると良い。
【００３１】
このようにすれば、第１被照射部および第２被照射部の堆積態様が両者で均等となり、第１被照射部および第２被照射部の間で堆積態様が同じ環境下とすることができる。堆積の程度を精度良く検出することができる。
【００３２】
（１２）受光部は、第１反射光および第２反射光を集光するレンズと、レンズの後段に第１反射光および第２反射光の有する波長域を通すとともに、前記第１反射光および前記第２反射光の有する波長域以外の光を通しにくくする第１手段と、を備える構成とすると良い。
【００３３】
レンズにより、第１反射光および第２反射光を集光することにより、検出する光の強度を上げ、ＳＮ比を大きくし、精度良く堆積の程度を検出することができる。また、第１反射光および第２反射光の有する波長域の光を通すとともに、第１反射光および第２反射光の有する波長域以外の光を通しにくくする第１手段を備える。このようにすれば、受光部は第１反射光および第２反射光を選別することができ、堆積量を精度良く検出することができる。また、第１反射光および第２反射光の有する波長域以外の波長域の光を遮ることができ、収斂火災の発生を抑制することができる。第１手段は、例えば光学フィルタとすると良い。
【００３４】
（１３）照射部は、第１所定周期で照射・非照射を繰り返し、受光部は、第１反射光を受光し第１電気信号に変換する第１受光部と、第２反射光を受光し第２電気信号に変換する第２受光部と、第１所定周期の電気信号を通過させる第２手段と、を備え、第２手段を通過した第１電気信号および第２電気信号に基づいて、強度の違いを求める構成とすると良い。
【００３５】
第２手段を通過させることにより、受光部が受光した光のうち、照射部が照射・非照射を繰り返す周期と同じ周期の光が変換された電気信号を取り出すことができる。第１反射光および第２反射光が変換された電気信号を取り出すことにより、堆積の程度を精度良く検出することができる。第１所定周期は例えば４５５ｋＨｚとすると良く、第２手段は汎用のＡＭラジオ用のフィルタとすると良い。このようにすれば、検出装置を安価で提供することができる。また、第２手段は例えばバンドパスフィルタとすると良い。
【００３６】
（１４）受光部は、第１反射光を受光し第１電気信号に変換する第１受光部と、第２反射光を受光し第２電気信号に変換する第２受光部と、第１電気信号を増幅して第１増幅信号を出力する第１増幅器と、第２電気信号を増幅して第２増幅信号を出力する第２増幅器と、を備える構成とすると良い。
【００３７】
このようにすれば、ＳＮ比を大きくすることができ、堆積の程度を精度良く検出することができる。第１受光部及び第２受光部はそれぞれ例えば受光素子とするとよい。
【００３８】
（１５）強度の違いとして、第１反射光の強度に対する第２反射光の強度の比とする構成とすると良い。
【００３９】
第１反射光の強度に対する第２反射光の強度の比に基づいて堆積の程度を検出することにより、第１反射光の強度と第２反射光との強度の差分に基づいて堆積の程度を検出するよりも、第１反射光および第２反射光の強度の検出誤差の影響を小さくすることができる。第１反射光および第２反射光の強度がそれぞれ誤差を含んでいても、第１反射光の強度に対する第２反射光の強度の比に対する第１反射光および第２反射光の強度に含まれる誤差の割合は小さくすることができる。このようにすれば、第１反射光および第２反射光の強度の検出誤差に経時変化がある場合であっても、堆積の程度を精度良く検出することができる。
【００４０】
（１６）受光部は、第１反射光を受光し第１電気信号に変換する第１受光部と、第２反射光を受光し第２電気信号に変換する第２受光部と、を備え、第１電気信号および第２電気信号を分割により１つにした電気信号に基づいて、強度の違いを求める構成としても良い。
【００４１】
第１電気信号および第２電気信号を時分割により１つの電気信号にすることにより、温度変化、経時変化による誤差の発生を無くすことができる。
【００４２】
（１７）受光部は、第１反射光を受光し第１電気信号に変換する第１受光部と、第２反射光を受光し第２電気信号に変換する第２受光部と、を備え、第１電気信号および第２電気信号を時分割により１つにした第３電気信号を積分して第４電気信号を出力する手段と、を備え、第４電気信号を前記強度の違いとする構成とすると良い。
【００４３】
第４電気信号は第１電気信号および第２電気信号の大きさの違いを示すため、強度の違いとすることができる。第４電気信号に基づいて、堆積の程度を検出することができる。
【００４４】
（１８）受光部は、第１反射光を受光し第１電気信号に変換する第１受光部と、第２反射光を受光し第２電気信号に変換する第２受光部と、第１電気信号および第２電気信号を対数変換して出力する出力手段と、を備え、出力手段から出力される対数変換された第１電気信号と対数変換された第２電気信号との差分を強度の違いとする構成とすると良い。
【００４５】
第１電気信号および第２電気信号を対数変換することで、第１反射光および第２反射光について信号処理の可能な強度の検出範囲を広く設定することができる。対数変換により強度の検出範囲を広く設定することができるので、照射部から照射され、第１被照射部および第２被照射部で反射され、受光部に入る光の経路がずれて、光の強度がばらついた場合でも、広い範囲で第１反射光および第２反射光を検出することができる。照射部、第１被照射部、第２被照射部、および受光部の相互の位置関係を厳密に設定する必要はなく、堆積の程度を検出することができる。また、照射部から照射される光の強度が、例えば経時劣化により低下した場合にも、検出範囲が広いため、第１反射光および第２反射光を検出することができる。対数変換された第１電気信号および第２電気信号の差分は第１反射光と第２反射光との強度比となる。求められた第１反射光と第２反射光との強度比により、堆積の程度を検出することができる。出力手段は、例えば汎用のＲＳＳＩ（Ｒｅｃｅｉｖｅｄ  Ｓｉｇｎａｌ  Ｓｔｒｅｎｇｔｈ  Ｉｎｄｉｃａｔｏｒ）を出力する検波ＩＣとすると良い。
【００４６】
（１９）受光部は、第１反射光を受光し第１電気信号に変換する第１受光部と、第２反射光を受光し第２電気信号に変換する第２受光部と、第１電気信号および第２電気信号を対数変換して出力する出力手段と、を備え、第１受光部および第２受光部と出力手段との間に介在し、出力手段に至る経路への接続を、第１受光部と第２受光部との間で第２所定周期で交互に切り替える切替部を備える構成とすると良い。
【００４７】
このようにすれば、出力手段を第１電気信号および第２電気信号の各々の対して備えることなく、第１電気信号および第２電気信号に対して同じ出力手段で対数を出力するので、誤差を相殺できる。出力手段を第１電気信号および第２電気信号の各々の対して備える場合に発生する温度変化、経時変化による出力手段からの出力の誤差の発生を無くすことができる。特に（１４）と組み合わせると良く、切替部は第１増幅信号および第２増幅信号を切り替える構成とすると良い。ここで、第２所定周期は高周波より低周期、例えば１．８ｋＨｚ程度とすると良い。低周期とすると、高周波用の高価な部品を使用することなく、安価に検出装置を提供することができる。また、切替部は例えば、アナログスイッチとすると良い。
【００４８】
（２０）受光部は、第１反射光を受光し第１電気信号に変換する第１受光部と、第２反射光を受光し第２電気信号に変換する第２受光部と、第１電気信号および第２電気信号を対数変換して出力する出力手段とを備え、出力手段から出力される対数変換された第１電気信号と対数変換された第２電気信号との差分を出力する構成とすると良い。
【００４９】
このようにすれば、照射部、第１被照射部、２被照射部、および受光部を配置する際に、使用者は出力を確認しながら第１反射光および２反射光の強度が大きくなる位置に配置することができる。照射部が照射する光が、例えば不可視である赤外光である場合、使用者は第１被照射部、２被照射部からの反射光を見ることができない。この場合においても、使用者は出力を確認しながら、第１反射光および２反射光の強度が大きくなる位置に位置合わせすることができる。
【００５０】
（２１）被照射部の色は、堆積物の色とは異なる構成とすると良い。このようにすれば、堆積物が堆積していない初期状態での反射光の強度と、堆積物が堆積した状態での反射光の強度とでは差が生じるため、堆積の程度を精度良く検出することができる。
【００５１】
（２２）第１被照射部は白色であり、第２被照射部は黒色である構成としても良い。
【００５２】
第１被照射部と第２被照射部との反射率の差を大きくすることにより、第１被照射部および第２被照射部に堆積物が堆積していない初期状態での最大の強度の差を大きくすることができる。堆積の程度に応じて強度の差が小さくなっていくので、広いレンジの強度の差により堆積の程度を検出することができ、堆積の程度を検出する分解能を高めることができる。堆積の程度を精度良く検出することができる。
【００５３】
（２３）（１）乃至（２２）の検出装置により行われる信号処理には、ソフトウェアによる処理は介在しない構成とすると良い。
【００５４】
このようにすれば、高価なコンピュータを使用する必要がなく、検出器を安価で提供することができる。
【００５５】
（２４）照射部および受光部は、防塵性がある構成とすると良い。このようにすれば、堆積物が堆積する環境に照射部および受光部が設置されても、堆積の程度を検出することができる。
【００５６】
使用者は（２０）の出力に応じて、対象物を洗浄することができる。例えば、出力が堆積の程度が大きいことを示す場合には、強く洗浄することができる。（２５）第１被照射部からの反射光と第２被照射部からの反射光との強度の違いが所定値以下であることに応じて、対象物を洗浄する洗浄部に対して対象物を洗浄ための指示信号を出力する構成とすると良い。検出装置を（２０）と（２５）とを組み合わせて構成しても良い。
【００５７】
洗浄部は強度の違いが所定値以下であることに応じて、使用者の手を介さず洗浄することができる。また、使用者は所定値を自由に設定することができる。所定値は、例えば堆積物が火山灰である場合、降灰量２０ｇ／ｍ２に対応する値とすると良い。降灰量が２０ｇ／ｍ２を超えると、例えば、発電量が２割程度低下するなどして、太陽光発電に影響を与えることが分かった。また、この数年間では、２０１２年５月２２日に最高降灰量７３３ｇ／ｍ２が観測されている。このため、堆積物を火山灰とする場合には、検出装置の検出範囲の上限は７３３ｇ／ｍ２より大きくすると良い。尚、所定値は、対象物により変更するのがよく、堆積物を例えば火山灰とした場合、降灰量２０ｇ／ｍ２は対象物によっては相当に多い量となる。対象物を例えば農作物とした場合には、ごく少量でも問題になるケースもあるため、所定値を、少なくとも降灰量が２０ｇ／ｍ２に対応する値よりも大きい値とすると良い。農作物の場合には、灰の付着量がごく少量でも、見た目が悪くなり、売り物にならなくなるおそれがある。対象物が農作物である場合には、洗浄は農作物へ水やりするスプリンクラーによる散水を用いるものとすると良い。強度の違いが所定値以下であることに応じて、水やりの程度を調整する構成とすると良い。水やりの程度を調整するは、例えば、水やりの時間を長くする、水やりの水圧を高くするなどすると良い。
【００５８】
（２６）被照射部、照射部、および受光部は、対象物を洗浄する洗浄部による洗浄に対して耐性がある構成とすると良い。
【００５９】
このようにすれば、洗浄部が対象物を洗浄した後も堆積の程度を検出することができる。洗浄部は堆積物を、例えば水などの液体で流す、空気などの気体で吹き飛ばす、ワイパーなどの器具で拭うことにより洗浄する場合、検出装置を構成する被照射部、照射部、および受光部は、耐水性がある、防風性がある、堅牢であるなどの特性を備えることにより、洗浄後も強度の差の検出に支障をきたすことはない。全天候形灰計測とすると良い。
【００６０】
（２７）被照射部は、対象物の所定領域ごとに配置され、該所定領域ごとに備えられている洗浄ノズルによる洗浄は、洗浄ノズルが備えられる所定領域に配置される第１被照射部からの反射光と第２被照射部からの反射光との強度差に基づいて、所定領域毎に行われる構成とすると良い。
【００６１】
このようにすれば、洗浄ノズルが洗浄する領域の堆積の程度に応じて洗浄を行うことができる。例えば、堆積の程度が大きい領域だけを洗浄する、堆積の程度に応じて、洗浄の強弱を調整することができ、省エネルギーとすることができる。
【００６２】
（２５）、（２７）のように人の手を介さない洗浄ではなく、（２０）の出力に応じて、使用者が対象物を洗浄することもできる。例えば、（２０）における出力を例えば、人が堆積の程度を認知可能なように報知する報知部を備えると良い。特に、次の（２８）のようにすると良い。
【００６３】
（２８）対象物の洗浄のための操作を人が行うための洗浄操作部の位置において、人が堆積の程度を認知可能なように堆積の程度を報知する報知部を備える構成とすると良い。
【００６４】
このようにすれば、使用者は、堆積の程度を確認しつつ、洗浄操作部を操作することができる。例えば、堆積の程度に応じて、洗浄操作部が洗浄の量を調整できる構成とすると良い。このようにすれば、堆積の程度に応じて、洗浄の程度を調整することができる。対象物が例えば、農作物である場合には、洗浄操作部は農作物への水やりの操作も兼ねる構成とすると良い。例えば、対象物は農作物とし、洗浄操作部は農作物への散水用のスプリンクラーの弁とすると良い。このようにすれば、報知を聴いてすぐに洗浄操作部を操作することができる。農作物へ水やりのための弁の操作のついでに、例えば、水圧を上げて洗浄するなどの堆積物の洗浄のための操作をすることができる。対象物が例えば魚群囲いの場合には、堆積の程度に応じて、例えば餌つけを行わないようにする、魚群囲いおよび餌を例えばシート状の保護具で覆う、魚群囲いの魚を堆積物が堆積しない場所に移動させるなどの対策を講じると良い。また、対象物が例えば魚群囲いの場合には、（２５）のように、人の手を介さず、前述のような対策を講じる構成としても良い。
【００６５】
（２９）対象物はソーラーパネルであり、対象物の温度を検出する温度検出器を備え、温度検出器が検出した温度が所定温度以上であることに応じて、対象物を水洗浄する洗浄部に洗浄を指示する指示信号を出力する構成とすると良い。
【００６６】
ソーラーパネルは、温度が上昇すると発電効率が低下する傾向がある。そこで、温度が上昇した場合に、水洗浄することでソーラーパネルが冷却され、低下した発電効率が回復することが期待できる。温度測定器としては、例えば、赤外線センサなどを用いた放射温度計、熱電対を用いた温度センサなどとすると良い。
【００６７】
（３０）対象物はソーラーパネルであり、対象物を洗浄する洗浄部を備え、対象物を洗浄することにより増加する発電量に基づく利益と、対象物の洗浄にかかる費用と、を予測する構成とすると良い。
【００６８】
ソーラーパネルに堆積物が堆積すると太陽光が妨げられて発電量が低下する場合があるため、堆積物を洗浄することで発電量の低下を抑制すると良い。一方、洗浄には費用がかかる。使用者は、予測された増加する発電量に基づく利益と、洗浄部による洗浄にかかる費用とを比較することによって、洗浄を行うか否かを的確に判断することができる。
【００６９】
例えば、堆積物が火山灰の場合、図１３に示すように、降灰前のＰＲ値の平均が０．７８であった場合、降灰後のＰＲ値は０．１付近まで低下した。ここで、ＰＲ値とは、ＰＲ法で使用される発電性能比率を示す値であり、太陽電池の実発電効率を定格発電効率で除した値である。ＰＲ値は１に近い程、太陽電池の効率が良いことを示すものである。図１３の横軸の値が[10:52:12]の箇所で、最小の値を示しているプロット線は「パネル温度」を示し、次に小さい値を示しているプロット線が「日射強度」を示し、その次に小さい値を示しているプロット線が「出力」を示し、最大の値を示しているプロット線が「ＰＲ値」を示している。「パネル温度」「出力」「日射強度」の縦軸は図１３の左端の縦軸であり、「ＰＲ値」の縦軸は図１３の右端の縦軸である。横軸の値が[13:45:00]付近の箇所で、パネル温度および日射強度は急激に変化していないのに対し、ＰＲ値および出力が急激に低下している。急激に低下した後、値が大きい方のプロット線が「ＰＲ値」を示し、値が小さい方のプロット線が「出力」を示している。また、図１４に示すように、発明者らは、ＰＲ値および発電量（図１３では出力と記載）は降灰量にほぼ比例して低下していくことを見出した。図１４の横軸の値が０の箇所で、値が小さい方のプロット線は「電力」を示し、値が大きい方のプロット線は「ＰＲ値」を示す。「電力」の縦軸は図１４の左端の縦軸であり、「ＰＲ値」の縦軸は図１４の右端の縦軸である。さらに、図１５（ａ）（ｂ）に示すように、発明者らは、降灰量に対するＰＲ値の低下量を数式により算出できることを見出した。尚、図１３〜１５は、太陽電池に降灰させ、ＰＲ値の変化を調査した実験結果である。
【００７０】
また、対象物が太陽電池の場合、太陽電池パネルは図１６（ａ）に示すように、太陽光を効率良く受けるために、一般に、南向きに地面に対して傾斜して設置される。また、例えば、降灰のある地域では、図１６（ｂ）に示すように、傾斜している太陽電池パネルの高い位置に位置する方の端部に噴霧器を設置している場合がある。噴霧器は、水を霧状にして噴射することにより、太陽電池パネル上に堆積した例えば火山灰などの堆積物を洗浄する。図１７は、太陽電池パネルの洗浄効果を検証するために実施した実験の結果である。ここでは、降灰がない時とある時のそれぞれに一回ずつ、噴霧器を作動させ、太陽電池パネルの洗浄を行った。図１７に示すように、降灰がある場合はＰＲ値が０．１３から０．９６に上昇し、噴霧器による洗浄により、降灰により低下したＰＲ値を回復させることがわかった。また、降灰がない場合にも、洗浄によりＰＲ値が０．８６から０．９３に上昇したことから、洗浄は火山灰を除去するだけでなく、太陽光パネルの表面の温度を低下させる効果もあることを発明者らは見出した。
【００７１】
対象物を洗浄することにより増加する発電量に基づく利益は、実験などにより得られた、図１５に例示するＰＲ値の低下量を算出する数式と、季節および気象と１日当たりの発電量との相関を表す表と、単位電力当たりの売電価格などから算出すると良い。尚、数式、表、および売電価格は例えば、検出装置が備える記憶部が記憶しているものとすると良い。気象としては例えば晴れ、曇りなどとすると良い。例えば、検出装置は制御部を備える構成とすると良く、制御部は、表を参照して、例えば季節が夏で気象が晴れの場合の発電量を取得し、数式を用いて、現在の、堆積の程度である降灰量に対して、降灰量が０となった場合の発電量の差分を算出する。差分の発電量に単位電力当たりの売電価格を乗じて、利益を算出する。
【００７２】
例えば、洗浄が水による洗浄の場合、対象物の洗浄にかかる費用は、実験などにより得られた、堆積の程度である降灰量と洗浄にかかる水量との相関を表す表と、単位水量当たりの水道料金などから算出すると良い。尚、表、および水道料金は、例えば、検出装置が備える記憶部が記憶しているものとすると良い。制御部は、表を参照して、現在の降灰量に対する水量を取得する。取得した水量に単位水量当たりの水道料金を乗じて、費用を算出する。
【００７３】
また、検出装置は、算出した利益と費用とに基づいて、洗浄するか否かを判定する機能を備えると良い。利益が費用を上回る時に、洗浄を開始すると良い。洗浄を開始するタイミングとしては、任意のタイミングでも良いが、日が落ちる時に洗浄しても朝までに堆積物が堆積する可能性が高いので、洗浄は太陽が上がる前が、上がった後、望ましく午前中、より望ましくは、日の出を挟む前後とすると良い。この場合、検出装置が備える記憶部に予め記憶している、日付と日の出の時刻との相関を表す表に基づいて、タイミングを決定しても良く、検出装置が備える日射計に基づいてタイミングを決定しても良い。特に、日射計とすると、例えば、午前が曇りで午後から晴れる場合など、日射状況、天候に基づいて、利益、費用など加味して判定することができて良い。
【００７４】
また、堆積の程度である降灰量は数値で表示するとよい。例えばあらかじめ１平方メートルあたりの降灰量（例えば重さなど）と、本検出装置の出力との関係を記憶しておき、その記憶した関係に基づいて現在の出力から降灰量を求めるとよい。例えば、センサ等で検出した、現在の日射量（例えば単位としてｋＷ／平方メートル）、現在の気温（例えば単位として摂氏（度））、現在の発電電力（例えば単位としてｋＷ）、本日の発電電力量（例えば単位としてｋＷｈ）、本日の売電金額（例えば単位として円）の少なくともいずれか１つとともに、降灰量または洗浄中か否かの表示の少なくともいずれか一方を行うとよい。特に降灰量と洗浄中か否かの表示をともに行うようにするとよい。
【００７５】
（３１）ネットワークを介して堆積の程度を出力するネットワーク出力手段を備える構成とすると良い。このようにすると、出力先では堆積の程度を取得することができる。本検出装置を複数台備える構成、また、例えばメガソーラーなどのようなものであれば、所定の区域毎に本検出装置を複数備える構成とし、各々の検出装置がネットワークを介して１つのサーバに情報を送信するように構成すると良い。このようにすれば、例えば、県内に１０ヶ所のソーラー発電所がある場合には、１０ヶ所の情報を１つのサーバに集約して、それぞれのソーラー発電所の堆積の程度を、サーバに集約された情報で知ることができる。また、１つのソーラー発電所の中に複数の区画があって、区画ごとに検出装置を備える場合には、発電所の各区画の堆積の程度を集約して知ることができる。また、例えば（２７）のような構成の場合には、それぞれの洗浄ノズルに対応した領域毎の情報を１つに集約して得ることができる。また、例えば、堆積物が火山灰である場合には、例えば桜島の目の前の錦江湾に複数の本検出装置を設置し、広域での堆積の程度の情報を１つのサーバに集約すると、錦江湾の養殖漁業者にとって有益な情報となる。
【００７６】
（３２）堆積の程度を所定の期間単位で可視化して表示可能な情報を生成して出力する情報出力手段を備える構成とすると良い。このようにすると、出力先では堆積の程度を所定の期間単位で可視化して表示可能な情報を取得することができる。所定の期間単位としては、１日、１月などとすると良い。検出装置は、例えば堆積の程度を所定時間間隔、あるいは、堆積の程度に変化があった時に、現在時刻とともに記録しておく記憶部を備えると良い。出力先では、時刻と堆積の程度のセットに基づいて、所定期間の情報を可視化して表示すると良い。可視化としては、例えば、横軸を時刻、縦軸を堆積量としたグラフ、１行毎に時刻と堆積量とを表示した表などとして表示すると良い。
【００７７】
（３３）堆積の程度に対象物の位置情報を付加した情報を出力する情報出力手段を備える構成とすると良い。このようにすると、出力先では堆積の程度に対象物の位置情報を付加した情報を取得することができる。位置情報としては、例えば、緯度・経度情報、地名、ソーラー発電所の名称、ソーラー発電所が複数のソーラー発電装置を備える場合には、例えば１号機、南側などの名称などとすると良い。特に、前段落で述べたように複数の検出装置の情報を集約して可視化すると良い。このようにすると、複数の情報のうち、例えば同じ県、同じソーラー発電所の情報を抽出することができる。また、地図上に堆積の程度をプロットして表示することができる。尚、以下の説明において、ソーラー発電装置を太陽電池モジュールと記載する場合がある。
【００７８】
（３４）堆積の程度が所定状態となることに応じて、予め記憶している通知先情報に基づいて通知する構成とすると良い。このようにすると、通知先では、堆積の程度が所定値以上となったことを知ることができる。通知は、例えば、電子メール、ソーシャルネットワークを使用したテキストデータ・音声データの送信、放送による通知などとすると良い。また、所定状態は、堆積の程度が所定値以上になること、堆積の程度の単位時間当たりの変化量が所定量を超えた状態などとすると良い。例えば、堆積物が火山灰である場合、火山の噴火により短時間に堆積する場合が多いため、単位時間当たりの変化量により通知することにより、例えば、屋外の洗濯物を屋内に移動させるなどできて良い。
【００７９】
（１）から（３４）のいずれかに記載の検出装置によれば、対象物を含まない検出装置自体に権利行使できる。
【００８０】
（３５）（１）から（３４）のいずれかに記載の検出装置と対象物とを備えるシステムとすることができる。このようにすれば、検出装置と対象物とをセットで販売する場合に権利行使できる。このようにすれは、上記した、引用する（１）から（３４）の箇所に記載の効果と同様の効果を奏するシステムとなる。
【００８１】
（３６）（１）から（３４）のいずれかに記載の検出装置と被照射部となる物とを備えるシステムとすることができる。このようにすれば、検出装置と被照射部となる物とをセットで販売する場合に権利行使できる。望ましくは、被照射部となる物からの反射光の強度に対して、対象物の堆積の程度を精度良く検出するように本検出装置を最適化しておくと良い。このようにすれば、対象物と被照射部をセットで対象物に設置して、堆積の程度を精度良く検出することができる。
【００８２】
尚、（１）〜（３４）を任意に選択して組み合わせると良く、（１）を備えた上で、（２）〜（３４）の構成を組み合わせると特に良い。（２）を備えた上で、（３）〜（３４）の構成を組み合わせると最も良い。また、（１）〜（３４）の中の要素を任意に選択して組み合わせると良い。
【発明の効果】
【００８３】
本願に係る検出装置およびシステムによれば、対象物に堆積する堆積物の程度を検出することができる。
【図面の簡単な説明】
【００８４】
【図１】実施形態の検出装置の概略構成を示す図である。
【図２】検出装置の電気的構成を示すブロック図である。
【図３】白黒板の外観と電気信号との関連を説明する図である。
【図４】電気信号を説明する図である。
【図５】モニタリングシステムの回路構成を示すブロック図である。
【図６】検出装置の配置を説明する図である。
【図７】（ａ）はモニタリングシステムのＰＣの外観を示す図である。（ｂ）はモニタリングしたアナログ出力の結果を表示したグラフである。
【図８】（ａ）は灰除去装置システムの構成を示す図である。（ｂ）はバルブ制御回路の回路図である。（ｃ）は灰除去装置システムの外観を示す図である。
【図９】灰除去装置システムのモニタリング結果を示す図である。
【図１０】灰除去装置システムのモニタリング結果を示す図である。
【図１１】降灰量計測モニタリングシステムの構成を示す図である。
【図１２】桜島の噴火回数と降灰量を示す図である。
【図１３】降灰によるＰＲ値の低下説明する図である。
【図１４】降灰量とＰＲ値の低下の相関を説明する図である。
【図１５】降灰量とＰＲ値の低下の相関の実験結果を説明する図である。
【図１６】（ａ）は太陽電池アレイの外観を示す図であり、（ｂ）は噴霧器による太陽電池パネルの洗浄の様子を示す図である。
【図１７】太陽電池における洗浄の効果を説明する図である。
【発明を実施するための形態】
【００８５】
実施形態に係る検出装置１の構成について図１を用いて説明する。以下の説明において、方向は、図１の上側を「上」、下側を「下」とする。検出装置１は太陽光発電を行うソーラーパネル３の上面に堆積する火山灰に係る堆積の程度を検出する。ここで、堆積の程度は、火山灰がソーラーパネル３の上面を覆う程度である。ソーラーパネル３および検出装置１は屋外に配置されている。また、ソーラーパネル３は地面に対して傾斜して配置されている。
【００８６】
検出装置１は本体部１０、白黒板２０を有する。洗浄機２は本体部１０に接続され、本体部１０が検出した火山灰の堆積の程度に応じて出力する起動信号に応じて、例えば洗浄機２が備える洗浄ノズル２ａから水を噴射して、ソーラーパネル３の上面である堆積面に堆積した火山灰を洗浄する。また、洗浄機２はソーラーパネル３の堆積面を洗浄するのと一緒に、白黒板２０の上面である堆積面に堆積した火山灰を洗浄する。白黒板２０は、ソーラーパネル３の堆積面上の本体部１０の直下を除く位置に配置されている。白黒板２０を通る上下方向に対して本体部１０は斜めに配置されている。これにより、火山灰が重力に応じて落下する場合、本体部１０が影となり白黒板２０への火山灰の堆積が妨げられることが抑制される。
【００８７】
白黒板２０の堆積面は、ソーラーパネル３の堆積面と表面の粗さ、親水性などが同程度である材質で形成されている。これにより、ソーラーパネル３の堆積面と、白黒板２０の堆積面とで、堆積した火山灰が除去される程度を同程度とすることができる。ここで、火山灰が除去される場合には、洗浄機２による洗浄の他に雨および風などにより除去される場合がある。また、白黒板２０はシール状の部材であり、厚みは僅少である。これにより、ソーラーパネル３の堆積面と白黒板２０との段差により風や雨水の流れが変化することによる白黒板２０とソーラーパネル３とで堆積態様が異なる環境になることを抑制することができる。ここでは、「堆積態様」は火山灰が堆積する状態、堆積した火山灰が除去される状態を示し、「ソーラーパネル３の堆積面および白黒板２０の堆積面の堆積態様が同じ環境下にある」は、両者に同じ様に火山灰が堆積し、同じ様に堆積した火山灰が除去されることを示す。白黒板２０は、白色の白板２１と黒色の黒板２２とを有し、白板２１および黒板２２は隣接している。これにより、白板２１および黒板２２の堆積態様が両者で均等となり、白板２１および黒板２２の間で堆積態様が同じ環境下とすることができる。白板２１および黒板２２は検出する火山灰の反射率とは異なる反射率を有し、白板２１の反射率よりも黒板２２の反射率の方が小さい。また、本体部１０および白黒板２０は洗浄機２が使用する水に対して耐性がある。このため、洗浄機２がソーラーパネル３を洗浄した後も堆積の程度を検出することができる。また、白黒板２０は耐候性が高い部材で形成されている。このため、屋外に長時間配置されることによる劣化が抑制される。
【００８８】
本体部１０は箱状の形状を有し、最大面積を有する面の大きさは例えば名刺サイズ程度であり、制御部３１、照射部１２、受光部１３を有し、例えば不図示の電源から電源供給されて動作する。制御部３１は照射部１２、受光部１３などを制御する。尚、制御部３１の詳細については後述する。照射部１２は白黒板２０全体に光を照射するように、白黒板２０より広範囲に光を照射する。照射部１２から照射された光は白黒板２０で反射され、受光部１３は白黒板２０からの反射光を受光する。本体部１０は受光部１３で受光した光の強度に基づいて、堆積の程度を検出する。ここで、例えば天候などの環境により強度が変化する太陽光ではなく、照射部１２から照射される光を検出に使用するため、環境によらず安定して堆積の程度を検出することができる。また、照射部１２が照射する範囲は白黒板２０よりも大きい。これにより、白黒板２０に対する照射部１２の位置がずれて、照射部１２から照射される光の範囲がばらついた場合でも、確実に白黒板２０へ光を当てることができる。また、検出装置１は白黒板２０からの反射光を受光部１３が受光する構成であるため、受光部１３を下向きに配置する構成とすることができる。これにより、受光部１３は太陽光を直接受光してしまうことがない。また、例えば、照射部１２で照射された光を受光部１３が直接受光する構成である場合、照射部１２と受光部１３とを対向して配置する必要があるが、受光部１３は白黒板２０からの反射光を受光する構成としているため、照射部１２と受光部１３とを１か所にまとめる構成とすることができる。
【００８９】
本体部１０は、ソーラーパネル３への火山灰の堆積を妨げないとともに白黒板２０からの反射光が受光部１３で受光可能な程度の距離、例えば１ｍ程度、白黒板２０から離間して例えば不図示の支持具などにより固定されている。これにより、本体部１０により火山灰の移動が遮られる場合にも、本体部１０を通過した火山灰が本体部１０と白黒板２０との間に回り込むことができるため、本体部１０が白黒板２０への火山灰の堆積を妨げることが抑制される。尚、白黒板２０と本体部１０との距離を決めるにあたり、本体部１０の大きさと、白黒板２０から本体部１０までの距離との比が重要である。本体部１０が大きいほど、白黒板２０から本体部１０までの距離を長くすると良い。また、受光部１３は周辺の外乱光が直接入射しない位置に配置されている。ここで、外乱光は、例えば、太陽光、街灯、自動車や鉄道などのライト、店舗や住宅などで使用される照明などである。特に、季節・日時により位置が変化する太陽については、太陽光、および、太陽光のソーラーパネル３および白黒板２０により反射された光が年間を通して入射しない位置、あるいは入射する期間が短い位置に受光部１３が配置されている。外乱光を受光しない位置に受光部１３を配置することにより、受光部１３に入射して検出誤差を招来するノイズ光を除去し、さらにノイズ光が受光部１３の検出限界を超えた強い光である場合には検出自体が不能となってしまう事態を避けることができる。
【００９０】
本体部１０は図２に示す様に、図１で示した制御部３１、照射部１２、受光部１３の他に、レンズ１４、アンプ３２、アンプ３３、アナログスイッチ３４、バンドパスフィルタ（ＢＰＦ）３５、検波ＩＣ３６、電圧出力部３７、比較判定部３８、出力端子Ｐ１、Ｐ２を含む。照射部１２は赤外光を発光する赤外線発光ダイオード（以下、発光ダイオードと記載する）ＬＥＤを内蔵している。制御部３１は第１所定周期ＴＤ１でＯｎ／Ｏｆｆ変調を掛けて照射部１２を駆動する。詳しくは、制御部３１は駆動指令である信号Ｓ１を出力し、照射部１２は信号Ｓ１に応じて、第１所定周期ＴＤ１で照射・非照射を繰り返す。第１所定周期ＴＤ１は周波数に換算すると、例えば４５５ｋＨｚとなる期間である。受光部１３は白板受光部１５、黒板受光部１６を含む。白板受光部１５および黒板受光部１６は、夫々フォトダイオードＰＤｗ、ＰＤｂを内蔵する。フォトダイオードＰＤｗ、ＰＤｂは受光した、白板２１、黒板２２それぞれからの反射光である赤外光を個別に電気信号に変換し、白板受光部１５および黒板受光部１６は夫々反射信号Ｏｐｗ、Ｏｐｂを出力する。レンズ１４は、例えば平凸レンズであり、凸部側が白黒板２０に対向するように配置されている。レンズ１４の背後にフォトダイオードＰＤｗ、ＰＤｂが配置されている。レンズ１４は、照射部１２から照射され、白板２１で反射された白板反射光ＬＷ、および黒板２２で反射された黒板反射光ＬＢをそれぞれ、フォトダイオードＰＤｗ、ＰＤｂに集束させる。これにより、検出する光の強度を上げ、ＳＮ比を大きくすることができる。尚、白板受光部１５および黒板受光部１６は、白板２１と黒板２２との境界部分からの反射光が入らない位置に配置されている。アンプ３２は白板受光部１５から出力される反射信号Ｏｐｗを増幅し、信号Ｏｗを出力する。アンプ３３は黒板受光部１６から出力される反射信号Ｏｐｂを増幅し、信号Ｏｂを出力する。ここで、本体部１０は白板受光部１５および黒板受光部１６の各々に対応して、アンプ３２およびアンプ３３を備えている。これにより、白板受光部１５および黒板受光部１６で変換された、アンプ３２、３３で増幅される前の微小な信号へのノイズ混入を抑制し、ＳＮ比を大きくすることができる。
【００９１】
アナログスイッチ３４はアンプ３２の出力端子およびアンプ３３の出力端子に接続され、制御部３１の指令に応じて、出力を第１所定周期ＴＤ１より長周期である第２所定周期ＴＤ２で交互に切替える。これにより、アナログスイッチ３４の出力信号は、信号Ｏｗと信号Ｏｂとが時分割により１つの信号にされた信号となる。尚、第２所定周期ＴＤ２は例えば約２８０μｓであり、周波数に換算すると例えば、約１．８ｋＨｚとなる期間である。
【００９２】
バンドパスフィルタ３５は、照射部１２における照射・非照射の周期である第１所定周期ＴＤ１の信号を通過させるフィルタであり、アナログスイッチ３４の出力信号をフィルタリングして、信号Ｏ１を出力する。これにより、受光部１３が受光した光のうち、照射部１２が照射・非照射を繰り返す第１所定周期ＴＤ１と同じ周期の光が変換された電気信号を取り出すことができる。ここで、第１所定周期ＴＤ１を周波数４５５ｋＨｚ相当とすることにより、バンドパスフィルタ３５として汎用のバンドパスフィルタを使用することができる。尚、周波数４５５ｋＨｚはＡＭラジオの中間周波数、ＦＭラジオの第２中間周波数である。
【００９３】
信号Ｏ１は検波ＩＣ３６に入力される。検波ＩＣ３６は、信号Ｏ１の大きさを対数値（ｄＢ）で示すＲＳＳＩを出力する汎用のリミッタＩＣである。ここで、信号Ｏｗおよび信号Ｏｂはアナログスイッチ３４において予め１つの信号にされている。これにより、検波ＩＣ３６を信号Ｏｗと信号Ｏｂの各々の対して備えることなく、信号Ｏｗと信号Ｏｂとに対して同じ検波ＩＣ３６でＲＳＳＩを得ることができる。検波ＩＣ３６を信号Ｏｗと信号Ｏｂの各々の対して備える場合には、例えば、経時劣化により、例えば、一方の検波ＩＣ３６のゲインが下がるなど、２つの検波ＩＣ３６のゲイン、オフセット電圧、スケール誤差などに差が生じる場合がある。この点、信号Ｏ１を入力とすることで、発生する温度変化、経時変化によるＲＳＳＩの誤差の発生を無くすことができる。
【００９４】
電圧出力部３７は整流回路を含み、交流（ＡＣ）信号であるＲＳＳＩを直流（ＤＣ）電圧に変換して出力する。詳しくは、電圧出力部３７は半波整流した後に積分し、堆積の程度を示す信号Ｏ２を出力端子Ｐ１に出力する。使用者は出力端子Ｐ１に、入力された電圧を表示する、例えば電圧計を接続することにより、信号Ｏ２の電圧値を確認することができる。比較判定部３８はＲＳＳＩと、内蔵する例えば不図示のボリュームを介して入力される閾値電圧Ｖｒとを比較し、比較結果である信号Ｏ３を出力する。ここで、ボリュームとは、例えばつまみを回して抵抗値を変えることができる可変抵抗である。尚、電圧出力部３７、比較判定部３８の詳細については後述する。制御部３１は例えばＣＰＬＤ（Ｃｏｍｐｌｅｘ  Ｐｒｏｇｒａｍｍａｂｌｅ  Ｌｏｇｉｃ  Ｄｅｖｉｃｅ）で実現されており、上記のように照射部１２およびアナログスイッチ３４を制御する。制御部３１をＣＰＬＤで実現することにより、ソフトウェアを必要とする高価なコンピュータを使用する必要がなく、検出装置１を安価で提供することができる。
【００９５】
次に、図３、４を用いて、火山灰の堆積の程度を検出する方法について説明する。図３の区分Ｚ１は白黒板２０に火山灰が堆積する様子を示しており、火山灰が堆積するに従って、状態Ａ、Ｂ、Ｃへと順に遷移する。状態Ａは白黒板２０に火山灰が無い状態であり、状態Ｂは白黒板２０に火山灰が少し堆積している状態であり、状態Ｃは火山灰が沢山堆積している状態である。尚、ここでは、火山灰の色は灰色であるため、白黒板２０に火山灰が堆積していない状態と、白黒板２０に火山灰が堆積した状態とでの違いを検出することができる。状態Ａでは、白黒板２０に火山灰が堆積していないため、白板２１と黒板２２との違いがはっきりしている。状態Ｂ、Ｃに遷移するに従って、白黒板２０の堆積面に堆積する火山灰が徐々に多くなるため、白板２１と黒板２２との違いが次第にはっきりしなくなる。黒板２２よりも白板２１の反射率が高いため、状態Ａでは黒板反射光ＬＢ（図２）よりも白板反射光ＬＷ（図２）の強度の方が大きい。図３の区分Ｚ２は黒板反射光ＬＢ（図２）と白板反射光ＬＷ（図２）の強度の比である反射レベル比を示している。黒板反射光ＬＢ（図２）および白板反射光ＬＷ（図２）の強度の違いは火山灰が堆積していない状態Ａで最大であり、状態Ｂ、Ｃへ遷移するに従って小さくなっていく。つまり、区分Ｚ２に示すように、状態Ａでの反射レベル比は「大」であり、状態Ｂでの反射レベル比は「中」であり、状態Ｃでの反射レベル比は「小」となる。さらに、白黒板２０の全域が白黒板２０を目視出来ない程度まで火山灰により覆われると、光は火山灰により反射されるため、黒板反射光ＬＢ（図２）および白板反射光ＬＷ（図２）の強度の違いは無くなる。このため、黒板反射光ＬＢ（図２）および白板反射光ＬＷ（図２）の強度の違いにより、堆積の程度を検出することができる。さらに、白黒板２０とソーラーパネル３との堆積態様が同じ環境下にあるため、白黒板２０に堆積する火山灰の堆積の程度を、ソーラーパネル３に堆積する火山灰の堆積の程度とすることができる。ここで、反射率の差が大きい白板２１と黒板２２とを使用することにより、広いレンジの強度の差により堆積の程度を検出することができ、堆積の程度を検出する分解能を高めることができる。
【００９６】
図４に示す信号Ｓ１は、ハイレベルの期間、発光ダイオードＬＥＤを点灯させ、ローレベルの期間、発光ダイオードＬＥＤを消灯させるように指令する信号である。図４に示す信号Ｏｗ、Ｏｂはそれぞれ白板反射光ＬＷおよび黒板反射光ＬＢに基づく、状態Ａにおける信号を示している。信号Ｓ１に応じて、信号Ｏｗ、Ｏｂは発光ダイオードＬＥＤの点灯に応じたハイレベルと、発光ダイオードＬＥＤの消灯に応じたローレベルとを交互に繰り返す。黒板反射光ＬＢの強度よりも白板反射光ＬＷの強度の方が大きいため、信号Ｏｗの方が信号Ｏｂよりも振幅が大きい。ここで、振幅とは、最大電圧と最小電圧との差である。アナログスイッチ３４は第２所定周期ＴＤ２でバンドパスフィルタ３５への出力を信号Ｏｗと信号Ｏｂとに交互に切替えるため、信号Ｏ１は信号Ｏｗのバンドパスフィルタ３５通過後の信号と、信号Ｏｂのバンドパスフィルタ３５通過後の信号とが交互に現れる信号となる。ここで、信号Ｏｗのバンドパスフィルタ３５通過後の信号が現れる期間を期間Ｔｗ、信号Ｏｂのバンドパスフィルタ３５通過後の信号が現れる期間を期間Ｔｂとする。検波ＩＣ３６は、期間Ｔｗでは信号Ｏｗのバンドパスフィルタ３５通過後の信号の大きさを出力し、期間Ｔｗでは信号Ｏｂのバンドパスフィルタ３５通過後の信号の大きさを出力する。このため、ＲＳＳＩは、期間Ｔｗではハイレベルとなり、期間Ｔｂにおいてはローレベルとなる信号となる。尚、図４において実線で示すＲＳＳＩは状態Ａに対応し、一点鎖線で示すＲＳＳＩは状態Ｂに対応している。状態Ａでは、ＲＳＳＩはハイレベルＷａ、ローレベルＢａの振幅となる。状態Ｂでは、ＲＳＳＩはハイレベルＷｂ、ローレベルＢｂの振幅となる。ここで、状態Ｂでは状態Ａよりも白板反射光ＬＷと黒板反射光ＬＢとの強度の違いが小さいため、振幅は小さくなる。電圧Ｖｌは白黒板２０の全域が白黒板２０を目視出来ない程度まで火山灰により覆われた状態におけるＲＳＳＩの電圧である。堆積の程度が大きくなるに従って、ＲＳＳＩの電圧レベルは次第に電圧Ｖｌに近づいていく。尚、電圧Ｖｌは火山灰の反射率などに依存する値である。
【００９７】
図３の区分Ｚ３は各状態におけるＲＳＳＩを示しており、上記したように、ハイレベルＷａ、Ｗｂ、Ｗｃは白板反射光ＬＷの強度に応じた値であり、ローレベルＢａ、Ｂｂ、Ｂｃは黒板反射光ＬＢの強度に応じた値である。状態Ａで振幅が大きく、状態Ｂ、Ｃになるにつれ、白板反射光ＬＷの強度と黒板反射光ＬＢの強度は同じ値に近づいていくため、振幅は小さくなっていく。図３の区分Ｚ３に示す電圧Ｖｍは各状態におけるＲＳＳＩのハイレベルとローレベルの中間の電圧である。
【００９８】
電圧出力部３７は不図示のダイオードなどを含む半波整流回路部、およびコンデンサ、抵抗などを含む積分回路部を有する。半波整流回路部は、ＲＳＳＩの電圧Ｖｍ以上の電圧成分を通過させる。半波整流回路部を通過した信号は積分回路部により積分され、ＤＣ電圧である信号Ｏ２が出力される。これにより、ＲＳＳＩの振幅が大きいほど、出力される信号Ｏ２の電圧値は高くなる。図３の区分Ｚ４は、閾値電圧Ｖｒ、接地電圧ＧＮＤとともに、各状態における信号Ｏ２の電圧値である電圧Ｖａ、Ｖｂ、Ｖｃが示されている。電圧Ｖａ、Ｖｂ、Ｖｃは夫々状態Ａ、Ｂ、Ｃにおける信号Ｏ２の電圧である。入力されるＲＳＳＩに応じて、電圧Ｖａ、Ｖｂ、Ｖｃの順に電圧値は小さくなる。比較判定部３８はＲＳＳＩの振幅と閾値電圧Ｖｒとを比較し、ハイレベルまたはローレベルの、オープンコレクタ信号であるＤＣ信号を出力する。図４の区分Ｚ５は各状態における信号Ｏ３の電圧レベルを示している。図３の区分Ｚ４に示すように、信号Ｏ２の出力電圧が電圧Ｖａ、Ｖｂのように閾値電圧Ｖｒより高い場合には、ハイレベル（図３、区分Ｚ５においてＯＰＥＮ）の信号Ｏ３を出力し、信号Ｏ２の出力電圧が電圧Ｖｃのように閾値電圧Ｖｒより低い場合には、ローレベル（図３、区分Ｚ５ににおいてＧＮＤ）の信号Ｏ３を出力する。ここで、ローレベルである信号Ｏ３は洗浄機２への起動信号である。洗浄機２は信号Ｏ３を洗浄の実行に関するオン／オフ信号とする。例えば、規定以上の汚れの場合には、信号Ｏ３はローレベルのオン信号となり、規定未満の汚れの場合には、信号Ｏ３はハイレベルのオフ信号となる。
【００９９】
ここで、ＲＳＳＩを積分して得られる信号Ｏ２の電圧値は、「黒板反射光ＬＢの強度に対する白板反射光ＬＷの強度の比」の対数に対応し、反射信号Ｏｐｗと反射信号Ｏｐｂのレベル比に対応する。例えば、白板反射光ＬＷの強度に基づく信号である信号Ｏｗの振幅が電圧Ａｗ、黒板反射光ＬＢの強度に基づく信号である信号Ｏｂの振幅が電圧Ａｂであり、ＲＳＳＩのハイレベルは電圧ｌｏｇＡｗであり、ローレベルは電圧ｌｏｇＡｂであるとする。この場合、電圧出力部３７では、半波整流回路を通過した、例えば電圧１／２（ｌｏｇＡｗ−ｌｏｇＡｂ）以上の電圧成分が積分回路部で積分されて、例えば電圧１／４（ｌｏｇＡｗ−ｌｏｇＡｂ）の信号Ｏ２が出力されるとする。２つの対数の差は、２つの数の比の対数となる。このため、上記の電圧１／４（ｌｏｇＡｗ−ｌｏｇＡｂ）は１／４（ｌｏｇＡｗ／Ａｂ）であり、「黒板反射光ＬＢの強度に対する白板反射光ＬＷの強度の比」である「Ａｗ／Ａｂ」を対数化した値を示す。例えば、信号Ｏ２の電圧値を予め１ｄＢ、１Ｖと調整した場合において、Ａｗ：Ａｂ＝２：１、Ａｗ＝２×Ａｂ、デシベルで２０ｌｏｇ２＝６ｄＢである場合、１／４×ｌｏｇＡｗ／Ａｂ＝１／４×ｌｏｇ２＝１．５となる。このように、例えば信号Ｏ２の電圧が１．５Ｖであった場合には、白板反射光ＬＷの強度に対する黒板反射光ＬＢの強度の比が２程度、６ｄＢ程度であると推定することができる。尚、上記では、説明のため簡素化した数式を使用しているが、本体部１０において出力される電圧値を限定するものではない。例えば、ＲＳＳＩの電圧は検波ＩＣ３６により決まる値であり、信号Ｏ２の電圧は電圧出力部３７により決まる値である。
【０１００】
また、白板反射光ＬＷの強度に対する黒板反射光ＬＢの強度の「比」に基づいて堆積の程度を検出することにより、白板反射光ＬＷの強度と黒板反射光ＬＢとの強度の「差」に基づいて堆積の程度を検出するよりも、白板反射光ＬＷおよび黒板反射光ＬＢの強度の検出誤差の影響を小さくすることができる。例えば、白板反射光ＬＷの強度に基づく信号である白板受光部１５の出力信号の振幅が電圧Ｇｗ、黒板反射光ＬＢの出力信号の振幅が電圧Ｇｂであり、Ｇｂは検出誤差が無く検出された値であるのに対して、Ｇｗは＋１０％の検出誤差を含んで検出されてしまった値であるとする。検出誤差が無く検出された場合の値をＧｔｗとした場合、Ｇｗ＝１．１Ｇｔｗである。２つの値の「差」は、Ｇｗ−Ｇｂ＝１．１Ｇｔｗ−Ｇｂ＝（Ｇｔｗ−Ｇｂ）＋０．１Ｇｔｗと算出され、２つの値の「比」は、Ｇｗ／Ｇｂ＝１．１Ｇｔｗ／Ｇｂ＝（Ｇｔｗ／Ｇｂ）＋０．１Ｇｔｗ／Ｇｂと算出される。つまり、検出誤差が無かった場合の値（「差」の場合Ｇｔｗ−Ｇｂ、「比」の場合Ｇｔｗ／Ｇｂ）と比較し、「差」の場合には、０．１Ｇｔｗの値が誤差となるのに対し、「比」では誤差を０．１Ｇｔｗ／Ｇｂとする事ができるため、１より大きいＧｂで除する分、堆積の程度を検出するのに使用する値に対する誤差の影響を小さくすることができる。例えば経時劣化により、フォトダイオードＰＤｗ、ＰＤｂにおける入出力特性が変化し、検出誤差が生じた場合においても、信号Ｏ２に対する検出誤差の影響を小さくすることができる。
【０１０１】
また、検波ＩＣ３６を用いることにより、信号Ｏ１は対数に変換されて、後段に出力される。これにより、白板反射光ＬＷおよび黒板反射光ＬＢに係る強度の検出範囲を広く設定できるとともに、後段の電圧出力部３７および比較判定部３８の動作電圧範囲を限定することができる。照射部１２から照射され、白黒板２０で反射され、受光部１３に入る光の経路がずれて、光の強度がばらついた場合でも、検出範囲が広いため、白板反射光ＬＷおよび黒板反射光ＬＢを検出することができる。照射部１２、白黒板２０、および受光部１３の相互の位置関係を厳密に設定する必要はなく、設置の精度を問わず、大雑把に、ラフに合わせることができる。設置のシビアさを解消できる。また、照射部１２から照射される光の強度が、例えば経時劣化により低下した場合にも、検出範囲が広いため、白板反射光ＬＷおよび黒板反射光ＬＢを確実に検出することができる。
【０１０２】
検出装置１の構成において、ソーラーパネル３と堆積態様が同じ環境に白黒板２０を配置し、受光部１３に外乱光が直接入射しない位置に本体部１０を配置するために、白黒板２０と本体部１０との位置は固定せずに、白黒板２０および本体部１０の配置の自由度を上げている。このため、配置状況により照射部１２から照射される光の白黒板２０への当たり具合、白黒板２０と本体部１０との角度、距離、位置は変化し、さらに外乱光などの環境により、白板反射光ＬＷ、黒板反射光ＬＢの強度は変化する。また、例えば、振動などにより照射部１２の位置がずれ、照射部１２から照射される光の白黒板２０への当たり方がずれた場合には、白板反射光ＬＷおよび黒板反射光ＬＢの強度の範囲がずれてしまう。また、例えば、経時劣化により、発光ダイオードＬＥＤの発光強度が低下するに応じて、白板反射光ＬＷおよび黒板反射光ＬＢの強度が低下してしまう。発光強度の低下が進行すると、検出範囲が狭い場合には、黒板反射光ＬＢの強度が先に検出範囲外となるため、白板反射光ＬＷ、黒板反射光ＬＢの強度の違いを正確に検出できなくなるおそれがある。上記した場合においても、検波ＩＣ３６を用いることにより、白板反射光ＬＷおよび黒板反射光ＬＢに係る強度の検出可能な範囲を広くすることができるため、堆積の程度を確実に検出することができる。尚、対数に変換せず、信号をリニアのまま扱う場合には、絶対値がずれると飽和しやすい。リニアの場合には、対数に変換するよりも、検出範囲が狭くなるおそれがある。黒板反射光ＬＢの強度が固定され、黒板反射光ＬＢの強度に対する白板反射光ＬＷの強度が変化するのではなく、上記したように、黒板反射光ＬＢおよび白板反射光ＬＷの強度の絶対値が共に変動しやすい。このため、検出範囲が狭いリニアの場合には、黒板反射光ＬＢおよび白板反射光ＬＷの強度が検出範囲外となりやすい。
【０１０３】
堆積の程度を示す信号Ｏ２の電圧値は接続された例えば電圧計に表示される。これにより、照射部１２から照射される光は赤外光のため見えないが、使用者は信号Ｏ２の電圧値を確認しながら白板反射光ＬＷおよび黒板反射光ＬＢの強度が大きくなる位置、つまり、受光部１３が白板反射光ＬＷおよび黒板反射光ＬＢを捉える向きに本体部１０を配置することができる。詳しくは、信号Ｏ２の電圧値がピークとなる位置に位置合わせを行うと良い。また、洗浄機２は本体部１０の出力端子Ｐ２と接続されており、信号Ｏ３がローレベルの場合に、ソーラーパネル３を洗浄するように設定されている。つまり、洗浄機２はローレベルの信号Ｏ３を起動信号として、洗浄を行う。これにより使用者の手を介さずソーラーパネル３を洗浄することができる。使用者は閾値電圧Ｖｒを任意に設定できるため、例えば、天候に応じて、閾値電圧Ｖｒを調整することができる。
【０１０４】
ここで、ソーラーパネル３は対象物の一例であり、火山灰は堆積物の一例である。黒板２２は第１被照射部の一例であり、白板２１は第２被照射部の一例であり、黒板反射光ＬＢは第１反射光の一例であり、白板反射光ＬＷは第２反射光の一例である。また、フォトダイオードＰＤｂは第１受光部の一例であり、フォトダイオードＰＤｗは第２受光部の一例であり、アンプ３３は第１増幅器の一例であり、アンプ３２は第２増幅器の一例であり、アナログスイッチ３４は切替部の一例であり、バンドパスフィルタ３５は第２手段の一例であり、検波ＩＣ３６は出力手段の一例であり、電圧出力部３７は第３手段の一例である。また、反射信号Ｏｐｂは第１電気信号の一例であり、反射信号Ｏｐｗは第２電気信号の一例であり、信号Ｏ１は第３電気信号の一例であり、信号Ｏ２は第４電気信号の一例である。また、白黒板２０およびソーラーパネル３の堆積面の表面の粗さ、親水性は堆積面の性状の一例である。
【０１０５】
以上、上記した実施形態によれば、以下の効果を奏する。
白板２１および黒板２２の反射率は互いに異なるため、白板反射光ＬＷおよび黒板反射光ＬＢの強度の違いは、白黒板２０に火山灰が堆積していない状態で最も大きく、堆積の程度が大きくなるほど小さくなる。白板２１および黒板２２とは火山灰の堆積態様が同じ環境下にあるため、堆積の程度が大きくなるほど、白板反射光ＬＷおよび黒板反射光ＬＢの強度の違いは小さくなる。したがって、白板反射光ＬＷおよび黒板反射光ＬＢの強度の違いに基づいて、白板２１および黒板２２に堆積する火山灰の堆積の程度を検出することができる。ここで、白黒板２０は、火山灰の堆積態様がソーラーパネル３と同じ環境下にあるため、白黒板２０に堆積する火山灰の堆積の程度を検出することにより、ソーラーパネル３に堆積する火山灰の堆積の程度を検出することができる。白黒板２０を反射率の差の大きい白色と黒色とで構成することにより、火山灰が堆積していない初期状態での白板反射光ＬＷおよび黒板反射光ＬＢの強度の差を大きくすることができ、堆積の程度を検出する分解能を高めることができる。
【０１０６】
白板２１と黒板２２とを隣接して配置している。これにより、白板２１と黒板２２の堆積態様が両者で均等となる。また、白板２１と黒板２２の火山灰が堆積する堆積面の性状はソーラーパネル３の堆積面と同等である。これにより、対象物の堆積面と、白板２１と黒板２２の堆積面による堆積態様を両者間で同じ環境下とすることができる。また、白板２１および黒板２２の厚みが僅少な薄状部材である。これにより、白黒板２０が載置されるソーラーパネル３の堆積面と、白黒板２０の堆積面との段差を僅少にすることができる。段差の周辺において、段差による堆積態様の不均一になることを抑制することができる。白黒板２０への堆積の程度がソーラーパネル３への堆積の程度と異なってしまうことを抑制することができる。
【０１０７】
白黒板２０は、本体部１０の直下を除く位置に配置している。これにより、火山灰が重力に応じて落下する場合、火山灰の堆積経路を本体部１０が遮らないため、本体部１０が影となり白黒板２０への火山灰の堆積が妨げられることが抑制される。また、白黒板２０は、ソーラーパネル３への火山灰の堆積を妨げないとともに、白板反射光ＬＷおよび黒板反射光ＬＢの強度を検出可能な距離、本体部１０から離間して配置している。これにより、本体部１０により火山灰の移動が遮られる場合にも、本体部１０を通過した火山灰は、本体部１０と白黒板２０との間に回り込むことができ、本体部１０が白黒板２０への火山灰の堆積を妨げることが抑制される。受光部１３は周辺の外乱光が直接入射しない位置に配置する。これにより、受光部１３に入射して検出誤差を招来するノイズ光を除去し、さらにノイズ光が受光部１３の検出限界を超えた強い光である場合には検出自体が不能となってしまう事態を避けることができる。
【０１０８】
照射部１２は、第１所定周期ＴＤ１で照射・非照射を繰り返すことにより、外乱光とは異なる特性を有する光を白黒板２０に照射することができる。第１所定周期ＴＤ１の電気信号を通過させるバンドパスフィルタ３５を通過させることにより、照射部１２が照射した光が変換された電気信号を選別して取り出すことができる。フォトダイオードＰＤｗに対してアンプ３２を備え、フォトダイオードＰＤｂに対してアンプ３３を備えることにより、ＳＮ比を大きくすることができる。
【０１０９】
アナログスイッチ３４は出力を第２所定周期ＴＤ２で交互に切り替え、信号Ｏｗおよび信号Ｏｂを、時分割により１つの電気信号にする。これにより、検波ＩＣ３６を信号Ｏｗおよび信号Ｏｂの各々の対して備えることなく、同じ検波ＩＣ３６でＲＳＳＩが出力されるため、誤差を相殺できる。検波ＩＣ３６を信号Ｏｗおよび信号Ｏｂの各々の対して備える場合に発生する温度変化、経時変化による検波ＩＣ３６から出力される両者のＲＳＳＩ間の誤差の発生を無くすことができる。
【０１１０】
信号Ｏ１の大きさは検波ＩＣ３６により対数変換される。このため、白板反射光ＬＷおよび黒板反射光ＬＢについて信号処理の可能な強度の検出範囲を広く設定することができる。照射部１２から照射され、白黒板２０で反射され、受光部１３に入る光の経路がずれて、光の強度がばらついた場合でも、広い範囲で白板反射光ＬＷおよび黒板反射光ＬＢを検出することができる。また、発光ダイオードＬＥＤから照射される光の強度が、例えば経時劣化により低下した場合にも、検出範囲が広いため、白板反射光ＬＷおよび黒板反射光ＬＢを検出することができる。
【０１１１】
電圧出力部３７は、白板反射光ＬＷの強度に基づく信号と黒板反射光ＬＢの強度に基づく信号とが時分割により１つにされたＲＳＳＩを積分し、ＲＳＳＩにおける白板反射光ＬＷの強度に基づく電圧成分と、ＲＳＳＩにおける黒板反射光ＬＢの強度に基づく電圧成分との差を電圧値として出力する。白板反射光ＬＷの強度に基づく電圧成分を入力としたＲＳＳＩの電圧成分と、黒板反射光ＬＢの強度に基づく電圧成分を入力としたＲＳＳＩの電圧成分との差は白板反射光ＬＷおよび黒板反射光ＬＢとの強度比となる。白板反射光ＬＷの強度に対する黒板反射光ＬＢの強度の比に基づいて堆積の程度を検出することにより、白板反射光ＬＷの強度に対する黒板反射光ＬＢの強度の差分に基づいて堆積の程度を検出するよりも、白板反射光ＬＷおよび黒板反射光ＬＢの強度の検出誤差の影響を小さくすることができる。
【０１１２】
電圧出力部３７は信号Ｏ２を出力する。これにより、本体部１０および白黒板２０を配置する際に、使用者は出力を確認しながら黒板反射光ＬＢおよび白板反射光ＬＷの強度が大きくなる位置に配置することができる。制御部３１をＣＰＬＤで実現することにより、ソフトウェアによる処理が必要な高価なコンピュータを使用する必要がなく、検出装置１を安価で提供することができる。洗浄機２は比が信号Ｏ３に応じてソーラーパネル３を洗浄する。これにより、使用者の手を介さず洗浄することができる。また、使用者は閾値電圧Ｖｒを自由に設定することができる。検出装置１は、洗浄機２による洗浄に対して耐性がある。これにより、洗浄機２がソーラーパネル３を洗浄した後も堆積の程度を検出することができる。
【０１１３】
＜システム例１＞
次に、検出装置１０１を備えるモニタリングシステム１００の構成について図５を用いて説明する。モニタリングシステム１００は、対象物上に堆積する火山灰（堆積物の一例）の降灰量をモニタリングするためのシステムである。モニタリングシステム１００は、図５に示す様に、検出装置１０１、無線通信器（図５ではＺｉｇＢｅｅ（登録商標）と記載）の親機と子機、ＲＣフィルタ、マイコン（図５ではｍｂｅｄ（登録商標）と記載）、ＰＣなどを備えている。無線通信器の親機と子機とは、ＺｉｇＢｅｅの通信規格に準拠した無線通信を行う。マイコンはｍｂｅｄである。検出装置１０１は、発振回路、ＬＥＤ（照射部の一例）、白黒反射板（被照射部の一例）、ＰＤ（受光部の一例）、検波ＩＣ、整流回路、閾値判定回路（図５では閾値判定と記載）などを備える。発振回路、ＬＥＤ、白黒反射板、ＰＤ、検波ＩＣ、整流回路、閾値判定回路は、夫々、検出装置１の制御部３１、照射部１２、白黒板２０、受光部１３、検波ＩＣ３６、電圧出力部３７、比較判定部３８に相当するため、説明を省略する。整流回路から出力される、検出装置１において信号Ｏ２に相当する、アナログ出力信号は無線通信器の親機に入力される。無線通信器の親機は、入力されたアナログ出力信号の電圧値に応じてデューティ比を調整したＰＷＭ（Pulse Width Modulation）出力信号を無線通信器の子機へ送信する。無線通信器の子機はＰＷＭ出力信号をＲＣフィルタへ出力する。ＲＣフィルタは、ＰＷＭ出力信号のデューティ比に応じた電圧値であるアナログ出力信号をマイコンに対して出力する。マイコンは、入力されたアナログ出力信号に基づく信号をＰＣへ出力する。これにより、ＰＣ上で、信号Ｏ２に相当する信号の変化をリアルタイムでモニタリングすることができる。尚、信号Ｏ２に相当する信号は、堆積の程度が大きい程、降灰量が多い程、電圧値が下がる信号である。
【０１１４】
検出装置１０１は、図６に示すように、白黒反射板は降灰センサの直下を除く位置であって、白黒反射板からの反射光を検出可能な位置に設置される。尚、図６の降灰センサは、検出装置１の本体部１０に相当するものである。白黒反射板からの反射光を検出可能な位置は、白黒反射板から３２．８ｃｍ程度離間した位置である。火山灰は噴火により舞い上げられた後、風により運ばれつつ、重力に応じて、対象物に降り積もる。風力にもよるが、対象物付近では、上から降り積もる場合が多い。そこで、白黒反射板を降灰センサの直下を除く位置に配置することで、降灰センサが白黒反射板への降灰を妨げることを抑制することができる。
【０１１５】
次に、モニタリングシステム１００における、モニタリングの実験結果について、図７を用いて説明する。ＰＣには、マイコンから入力されるアナログ出力信号に基づく信号をグラフ化して表示するアプリケーションプログラムがインストールされている。図７（ａ）に示すように、ＰＣの有するディスプレイに、図７（ｂ）に示すようなグラフが表示される。図７（ｂ）の横軸は時間軸であり、縦軸は電圧である。モニタリングシステム１００によれば、検出装置１０１で降灰量をリアルタイムでモニタリングできることがわかる。尚、ここでは、ＰＣに送信される降灰センサの最大出力は約１．３７Ｖ、白黒反射板に約０．６ｇの降灰があった場合の出力は約０．８Ｖとなるように、降灰センサを調整している。
【０１１６】
＜システム例２＞
次に、検出装置２０１を備える灰除去装置システム２００の構成について図８を用いて説明する。灰除去装置システム２００は、太陽光パネル（対象物の一例）上に堆積する火山灰（堆積物の一例）の降灰量に応じて自動洗浄するとともに、降灰量をモニタリングするためのシステムである。灰除去装置システム２００は、図８（ａ）に示す様に、日射計、噴霧装置（洗浄部、洗浄ノズルの一例）、検出装置２０１、マイコン（図８ではｍｂｅｄと記載）、無線通信器（図８ではＺｉｇＢｅｅと記載）の親機と子機、ＰＣ、リレーを有するバルブ制御回路、太陽電池パネル（図８では太陽電池と記載）、Ｉ−Ｖチェッカーなどを備えている。噴霧装置はポンプおよび噴霧器を有している。噴霧器は、ポンプから給水される水を霧状にして噴射することにより、太陽電池パネル上に堆積した火山灰などの堆積物を洗浄する。マイコンとポンプとはバルブ制御回路（図８（ｂ））を介して電気的に接続されている。無線通信器の親機と子機とは、ＺｉｇＢｅｅの通信規格に準拠した無線通信を行う。マイコンはｍｂｅｄである。
【０１１７】
検出装置２０１は、検出装置１と同様の構成であり、降灰センサおよび白黒反射板などを有している。尚、降灰センサは検出装置１の本体部１０に相当し、白黒反射板は検出装置１の白黒板２０に相当するため、説明を省略する。図８（ｃ）に示すように、日射計、噴霧器、降灰センサ、白黒反射板は太陽電池パネルの近傍に配置されている。白黒反射板は太陽電池パネルの直上ではなく、離間して配置されている。これにより、白黒反射板が太陽光を遮り、太陽電池パネルによる発電を妨げることが抑制される。また、白黒反射板と、太陽電池パネルとは、同一平板上に配置されている。これにより、地面に対する傾斜角度が、白黒反射板と、太陽電池パネルとで同等となり、太陽電池パネルにおける降灰量を白黒反射板でより正確に検出することができる。
【０１１８】
降灰センサが出力する検出装置１の信号Ｏ３に相当する信号が無線通信器の親機に入力される。無線通信器の親機から子機へ、信号Ｏ３に相当する信号が送信され、さらに、マイコンに入力される。マイコンは、ローレベルの信号Ｏ３に相当する信号である、アナログ出力であるＲＳＳＩが閾値電圧Ｖｒを下回ると出力される信号が降灰センサから入力されると、リレーをＯＮする信号となるハイレベルの電圧をバルブ制御回路に対して出力する。バルブ制御回路は、図８（ｂ）に示すように、ＮＰＮ型バイポーラトランジスタ、リレー、ＤＣ電源（図８（ｂ）ではＤＣ１２Ｖと記載）、ＡＣ電源（図８（ｂ）ではＡＣ１００Ｖと記載）などを備えている。バルブ制御回路は、降灰量が多く、マイコンからハイレベルである３．３Ｖの信号（洗浄するための指示信号の一例）がＮＰＮ型バイポーラトランジスタのベース端子に出力されると、ＮＰＮ型バイポーラトランジスタがＯＮし、リレーの有するコイルにＤＣ電源から電流が流れる構成となっている。コイルに電流が流れると、リレーの有するスイッチがＯＮし、ポンプのバルブにＡＣ電源から給電され、ポンプが作動する。ポンプが作動すると、噴霧器が噴霧を開始する。
【０１１９】
灰除去装置システム２００では、太陽電池パネル上における降灰量が所定値以上となると、人の手を介さずに、噴霧装置により太陽電池パネルの洗浄が行うことができる。
【０１２０】
また、検出装置１の信号Ｏ３に相当する信号と同様に、検出装置１の信号Ｏ２に相当する信号も、降灰センサから、無線通信器の親機および子機を介して、マイコンに伝達される。マイコンは、信号Ｏ３に相当する信号が降灰センサから入力されると、ＰＣに信号Ｏ３に相当する信号を出力する。これにより、ＰＣ上で、信号Ｏ３に相当する信号の変化をリアルタイムでモニタリングすることができる。
【０１２１】
次に、灰除去装置システム２００における、洗浄の効果を検証したモニタリングの実験結果について、図９、１０を用いて説明する。ここでは、太陽電池パネルに３回に人工的に降灰させる実験を行った。図９の横軸は時間軸であり、縦軸は電圧である。信号Ｏ３に相当する信号（図９ではセンサ出力と記載）の電圧は、降灰したタイミングで、下がっている。これにより、検出装置２０１で降灰量をリアルタイムで検出できることがわかる。図１０の横軸は、時刻であり、縦軸は発電量、日射量、およびＰＲ値である。図１０により、降灰により発電量およびＰＲ値が低下した後、噴霧器による洗浄により、発電量およびＰＲ値が回復していることがわかる。さらに、洗浄後のＰＲ値は０．９以上となることから、洗浄による太陽電池の発電効率を回復される効果が高い事がわかる。
【０１２２】
＜システム例３＞
次に、検出装置３０１を備える灰除去装置システム３００の構成について図１１を用いて説明する。灰除去装置システム３００は、日射量サンサ、噴霧装置、気象センサ、降灰センサ、マイコン（ネットワーク出力手段、情報出力手段の一例）、データ収集サーバ、２台の監視・遠隔操作ＰＣ（以下、ＰＣと略記する）などを備えている。噴霧装置は噴霧装置全体を制御する噴霧コントローラ、および噴霧器（不図示）を有している。日射量サンサ、噴霧器、気象センサ、降灰センサは、太陽電池パネル（図１１では太陽電池アレイと記載している）の近傍に設置されており、各々、マイコンに電気的に接続されている。マイコンおよびＰＣはインターネットを介して、データ収集サーバと接続されている。ＰＣには、検出情報を可視化して表示させるアプリケーションプログラムおよび、噴霧装置を制御できるアプリケーションプログラムがインストールされている。
【０１２３】
マイコンは検出装置３０１が検出する降灰量、日射量センサが検出する日射量、気象センサが検出する例えば、温度、湿度、風向、風速、気圧、降水などの検出情報を例えば所定時間（例えば１日など）毎にサーバへ送信する。その際、マイコンは検出情報に、時刻、緯度・経度情報を付加して送信する。これにより、ユーザは、ＰＣを操作して、サーバから検出情報を取得し、ＰＣのディスプレイに検出情報を表示されることができる。ユーザは、検出情報を検証し、ＰＣのアプリケーションにより、噴霧装置へ洗浄を指令する。洗浄の指令は、サーバを介してマイコンに送信される。マイコンは、洗浄の指令を受信すると、噴霧装置に洗浄の指令を行う。噴霧装置は洗浄の指令により、洗浄を開始する。このように、各センサにより日射量や降灰量等を検出しＰＣでモニタリング、遠隔操作を行い、降灰量に応じて噴霧装置の制御を行うことができる。
【０１２４】
検出情報には、時刻が付加されているため、１日、１月単位で降灰量をグラフ化して表示することができる。また、検出情報には、緯度・経度情報が付加されているため、地図上に降灰量をプロットして表示することができる。火山灰は、風向、火山に対する位置などによって、偏って堆積する。このため、地図上で表示することにより、得たい位置での降灰量を知ることができる。
【０１２５】
尚、本発明は前記実施形態に限定されるものではなく、本発明の趣旨を逸脱しない範囲内での種々の改良、変更が可能であることは言うまでもない。
上記では白黒板２０はソーラーパネル３の堆積面の上に配置されると説明したが、ソーラーパネル３とは離間した位置であって、ソーラーパネル３への火山灰の堆積が妨げられないとともに、ソーラーパネル３の有する作用効果が妨げられない位置に配置される構成としても良い。例えば、ソーラーパネル３の横に配置すれば、白黒板２０が太陽光を遮らないため、太陽光発電を妨げることがない。また、洗浄機２により、ソーラーパネル３と同様に洗浄される位置に配置することにより、ソーラーパネル３と堆積態様を同等とすることができる。
【０１２６】
また、レンズ１４を通過した光は白板受光部１５および黒板受光部１６に入ると説明したが、レンズ１４と白板受光部１５および黒板受光部１６との間に照射部１２が照射する赤外光を通す光学フィルタを配置する構成とすると良い。これにより、受光部１３は白板反射光ＬＷおよび黒板反射光ＬＢを選別することができる。また、白板反射光ＬＷおよび黒板反射光ＬＢの有する波長域以外の波長域の光を遮ることができ、収斂火災の発生を抑制することができる。ここで、光学フィルタは第１手段の一例である。
【０１２７】
また、ソーラーパネル３に対し、洗浄機２を１つ備える構成について説明したが、これに限定されるものではない。洗浄ノズル２ａから噴射される水により洗浄可能な洗浄領域は限られるため、洗浄領域よりもソーラーパネル３の堆積面が広い場合には、洗浄ノズル２ａを複数個備える構成とすると良い。複数の洗浄ノズル２ａを備える場合、洗浄領域ごとに白黒板２０を備える構成とすると良い。これにより、洗浄ノズル２ａが洗浄する領域の堆積の程度に応じて洗浄を行うことができる。例えば、堆積の程度が大きい領域だけを洗浄する、堆積の程度に応じて洗浄の強弱を調整することができ、省エネルギーとすることができる。尚、洗浄機２が複数の洗浄ノズル２ａを備える構成としても良いし、１つの洗浄ノズル２ａを備える洗浄機２を複数備える構成としても良いし、両者を組み合わせても良い。
【０１２８】
また、対象物としてソーラーパネル３を例示して説明したが、この他に、例えば、屋根、壁、窓、床、ベランダ、道路の白線、通路、建築構造物の表面、車両、建設機材、移動体屋外展示の展示物、人工物、樹木などの自然物など、屋外の火山灰などの堆積物が堆積しやすい所などに適用することができる。また、堆積物として火山灰を例示して説明したが、この他に例えば塵、ほこり、花粉、黄砂、工場から排出される鉄粉などに適用することができる。
【０１２９】
また、照射部１２から照射される光を反射されるために、白黒板２０を使用すると説明したが、色を限定するものではない。検出する火山灰の反射率とは異なるもので、反射率が互いに異なるものが良く、照射部１２から照射される光に対する反射率の差が大きいものが特に良い。また、例えば鏡などの乱反射の発生が少ない部材は、受光部１３が正反射の位置からずれると、検出する反射光の強度が低下してしまう。このため、白黒板２０は乱反射を発生させる部材とすると良い。尚、反射率は照射部１２が照射する光に対する反射率である。また、堆積物が火山灰の場合、火山毎に、また、火山からの距離などにより、粒子径、色などが異なる。例えば、桜島では、白っぽいシラスと火山灰とは混ざるため、他とは火山の灰とは特性が違うことが知られている。火山灰の反射量が異なるため、堆積物の色および粒子径に応じて、色を選択すると良い。
【０１３０】
また、照射部１２は赤外光を発光する発光ダイオードＬＥＤを内蔵すると説明したが、これに限定されず、可視光、紫外光などを発光する発光ダイオードでも良く、発光ダイオードに限らず、半導体レーザ、有機エレクトロルミネッセンスなどでも良い。また、受光部１３はフォトダイオードＰＤｗ、ＰＤｂを内蔵すると説明したが、これに限定されず、フォトトランジスタ、硫化カドミウムセルなどのフォトレジスタなどでも良い。
【０１３１】
また、第１所定周期ＴＤ１の信号を通過させるバンドパスフィルタ３５を備えると説明したが、これに限定されず、第１所定周期ＴＤ１の信号を通過させるローパスフィルタ、あるいはハイパスフィルタでも良く、両者を組み合わせて構成しても良い。
【０１３２】
第２所定周期ＴＤ２は周波数１．８ｋＨｚと説明したが、周波数を限定するものではない。電圧出力部３７の積分回路部を構成する抵抗の抵抗値、コンデンサの容量値が大きくなり過ぎない程度に高く、高周波用の専用の部品を使用する必要がない程度に低い周波数とすると良い。
【０１３３】
また、制御部３１は例えばＣＰＬＤで実現されると説明したが、ＣＰＬＤに限らず、他のＰＬＤ（Ｐｒｏｇｒａｍｍａｂｌｅ  Ｌｏｇｉｃ  Ｄｅｖｉｃｅ）、例えばＦＰＧＡ（Ｆｉｅｌｄ  Ｐｒｏｇｒａｍｍａｂｌｅ  Ｇａｔｅ  Ａｒｒａｙ）で実現しても良く、ＰＬＤを使用せずに複数の電子部品で論理回路を構成して実現しても良い。プログラマブルロジックデバイス（ＰＬＤ）とすると、制御回路の変更がプログラミングで容易となり、拡張性が高くすることができるため良い。
【０１３４】
また、洗浄機２は水により洗浄すると説明したが、水以外の液体を用いて洗浄しても良いし、空気などの気体で吹き飛ばす、ワイパーなどの器具で拭う、振動により落下させる、対象物の傾斜角度を変更して堆積物を落下させることなどにより洗浄しても良い。堆積物が火山灰の場合には、粒子が細かいため、例えば、対象物が車両の場合には、水洗浄だと車両が傷つくおそれがある。この場合には、初めに例えば刷毛などで火山灰を除くと良い。
【０１３５】
また、検出装置１は信号Ｏ３の電圧値に応じて、自動で洗浄すると説明したが、使用者が信号Ｏ２を確認し、手動で洗浄する構成としても良い。例えば、対象物がソーラーパネル３である場合、夜間に太陽光発電を行うことはできない。このため、夜間に閾値電圧Ｖｒを超える程度、火山灰が堆積したからといって洗浄を行ったとしても、太陽光発電を行うことはできない。そこで、太陽光発電を開始することができる朝一に、使用者が信号Ｏ２を確認し、汚れていたら手動で強く洗浄する構成とすれば、自動で行うよりも省エネルギーとすることができる。例えば毎朝洗浄を行うなどの定期洗浄時に、使用者は信号Ｏ２の電圧値に応じた水圧とすることにより、洗浄機２で使用する水量を最低限の水量消費とすることが出来る。詳しくは、使用者は信号Ｏ２が堆積の程度が大きいことを示す場合、汚れがひどい場合には、例えば水をたくさん使って水圧を上げて強く洗浄し、堆積の程度が小さいことを示す場合、汚れがちょっとの場合には、例えば水をちょろちょろと、水圧を下げて弱く洗浄することができる。
【０１３６】
また、信号Ｏ２の電圧値は例えば電圧計に表示されると説明したが、検出装置１は信号Ｏ２の電圧値によって音量が変化する、例えばブザーを備える、あるいは、ブザーを取り付けて使用する構成としても良い。
【０１３７】
また、白黒板２０はシール状の部材であると説明したが、これに限定されず、フィルム状、板状の部材としても良い。
【０１３８】
また、洗浄機２はローレベルの信号Ｏ３を起動信号とすると説明したが、これに限定されず、信号Ｏ２を起動信号としても良い。詳しくは、信号Ｏ２が所定電圧以上となった場合に、洗浄機２は洗浄を行う構成としても良い。
【０１３９】
また、白黒板２０はソーラーパネル３の上に配置すると説明したが、ソーラーパネル３が太陽光を受光する受光面に例えばガラスなどの透過率の高い表面保護材を備える構成である場合、表面保護材の下に白黒板２０を備える構成としても良い。これにより、白黒板２０の堆積面とソーラーパネル３の堆積面との堆積態様を同じ環境下とすることができる。
【０１４０】
また、検出装置１は白黒板２０を備え、白板２１からの白板反射光ＬＷと、黒板２２からの黒板反射光ＬＢとに基づいて、堆積の程度を検出すると説明したが、黒板２２および黒板反射光ＬＢを用いない構成としても良い。この場合、信号Ｏｂを接地電圧とする。この構成によれば、天候などの環境によらず、一定である接地電圧に対する、白板反射光ＬＷの強度に応じた電圧の変化に基づいて、堆積の程度を検出することができる。また、白板反射光ＬＷと黒板反射光ＬＢとを使用する場合には、フォトダイオードＰＤｗおよびフォトダイオードＰＤｂに、各々、白板反射光ＬＷおよび黒板反射光ＬＢが入射するように、白黒板２０、受光部１３、および照射部１２の相対位置を厳密に調整する必要がある。この点、白板反射光ＬＷのみを使用する構成の場合には、白板反射光ＬＷおよび黒板反射光ＬＢを使用する構成と比較して、厳密に調整しなくても、堆積の程度を検出することができる。
【０１４１】
また、電圧出力部３７はダイオードなどを含む半波整流回路部を有する構成であると説明したが、半波整流回路部を有せず、ＲＳＳＩの最大値と最小値を検出する、ピークｔｏピークの検出を行う回路構成としても良い。ダイオードは温度により、順方向電圧が変化するため、半波整流回路部の出力電圧が、温度により大きく変動する場合がある。ピークｔｏピークの検出を行う回路構成とすることにより、温度の影響を少なくした出力電圧を得る事ができる。
【０１４２】
また、灰除去装置システム３００の構成に、太陽光パネルの表面温度を測定するために、太陽光パネル表面に温度検出器を追加した構成としても良い。また、温度検出器が検出した温度が所定温度（例えば４０℃）になると、噴霧装置の洗浄を開始するようにすると良い。温度が上昇した場合に、水洗浄することで太陽光パネルが冷却され、発電効率の低下が抑制することができる。
【０１４３】
また、モニタリングシステム１００では、無線通信器の親機と子機との通信は無線通信を行っている。そこで、検出装置１０１のうち、検波ＩＣなどを含む無線通信器の親機までの前段の構成を屋外に配置し、無線通信器の子機からＰＣまでの後段の構成を屋内に配置する構成とすると良い。このように、検出装置１０１のうち、少なくとも一部に無線通信を用いることによって、対象物からマイコンまでを有線で接続する構成と比較して、設置の自由度を上げることができる。また、屋内に配置する構成は、耐候性を備える必要がなくなり、耐候性を備えるためのコストを削減することができる。
【０１４４】
また、本体部１０は最大面積を有する面の大きさは例えば名刺サイズ程度であると説明したが、大きさを限定するものではない。大きさは、対象物に応じた大きさとすると良い。例えば、対象物が例えば家庭用のソーラーパネルの場合には、小型にし、ベランダなどに設置できるようにすると良く、例えば、対象物がメガソーラーなどの場合には、家庭用ほど小さくしなくても良い。
【０１４５】
また、太陽電池パネルは、メガソーラーに使用されるような大型のパネルでもよいし、家庭の屋根に設置するようなものでもよい。夜間に電球を点灯させるために昼間にバッテリー等に発電した電力をためて置き、バッテリーから夜間にその電球への電源供給を行うような小型のものでもよい。さらに小型のものでもよい。例えば、太陽電池パネルからの出力電圧等を本検出装置で監視し、あらかじめ記憶等しておいた、侵入者が当該太陽電池パネルを横切ったときに生じる変動のパターンに相当するパターンに出力電圧がなった場合に、侵入者があったものと判定してその旨を示す信号を外部に出力するようにするとよい。また、太陽電池パネルからの出力電圧等の監視に代えてまたは太陽電池パネルからの出力電圧等の監視とともに、本検出装置の照射部と被照射部との間に通路や侵入者の経路等を挟むように設置し、照射部と被照射部との間を横切ったときに生じる変動のパターンに相当するパターンになった場合に、侵入者があったものと判定してその旨を示す信号を外部に出力するようにするとよい。このようにすれば、堆積物の堆積の程度だけでなく侵入者の有無も判定できる。侵入者としては人または動物の少なくとも一方とするとよい。また侵入者に代えて侵入物の判定としてもよい。例えば風に舞って新聞紙などの物が飛んできて通過していった場合ソーラーパネルにその物がかかったままになると発電量が著しく低下することがあるがこのようにすれば、こうした物があったことを知ることができ対処することができる。洗浄信号を出力しているときに侵入が検知されたときには洗浄信号の出力を停止するようにしてもよい。このようにすれば例えば子供が誤ってソーラーパネルのある施設に入ってしまった場合により安全を確保できる。また例えば子供の侵入対策などが十分になされている施設等においては侵入が検知された場合に洗浄信号を出力して、侵入者を洗浄により威嚇するようにしてもよい。
【０１４６】
また、白黒板２０の堆積面は、ソーラーパネル３の堆積面と表面の粗さ、親水性などが同程度である材質で形成されていると説明した。例えば、白黒板をアクリル、ガラスなどとすると良いが、アクリルだと表面に傷がつくので、表面に傷がつかないガラスにすると特に良い。また、アクリルだと、屋外で使うため、真夏だと太陽光がきつく、波打つおそれがある。硬さは鉛筆のＨ６、Ｈ９くらいが良い。これにより、傷がつく、波打つなどして、反射が変わることを抑制することができる。ガラスの厚さは、４ｍｍ程度とすると良い。
【０１４７】
また、ソーラーパネルは、特に人の手の届く位置でない位置に設置されたものとするとよい。このようにすれば本検出装置は特に優れた効果を発揮する。
【０１４８】
また、ソーラーパネルは傾斜して設置するとよく、ソーラーパネルの表面の下辺側を支えるフレームは前記ソーラーパネルの表面よりも突出しない部分を設けるとよく、望ましくは前記下辺の全域にわたって前記フレームが前記ソーラーパネルの表面よりも突出しないようにするとよい。このようにすれば、例えば灰のような堆積物がソーラーパネル表面の下辺側に多く堆積してしまう事態、洗浄装置で洗浄した際にフレームに灰が当たって灰のような堆積物がソーラーパネル表面の下辺側にたまって流されないという事態を軽減できる。
【０１４９】
上記実施形態の構成に限定されず、上記実施形態の構成と上記変形例の構成とを任意に組み合わせても良い。また、上記実施形態の一部の構成と上記変形例の一部の構成とを任意に組み合わせても良い。また、「課題を解決するための手段」に記載の一部の構成と上記実施形態の一部の構成と上記変形例の一部の構成とを任意に組み合わせても良い。
【符号の説明】
【０１５０】
１      検出装置
３      ソーラーパネル
２      洗浄機
２ａ      洗浄ノズル
１０      本体部
１２      照射部
１３      受光部
１４      レンズ
１５      白板受光部
１６      黒板受光部
２０      白黒板
２１      白板
２２      黒板
３１      制御部
３２、３３      アンプ
３４      スイッチ
３５      バンドパスフィルタ
３６      検波ＩＣ
３７      電圧出力部
３８      比較判定部
ＰＤｗ、ＰＤｂ      フォトダイオード
ＬＷ      白板反射光
ＬＢ      黒板反射光
ＴＤ１      第１所定周期
ＴＤ２      第２所定周期
Ｏｐｗ、Ｏｐｂ      反射信号
Ｏｗ、Ｏｂ、Ｏ１、ＲＳＳＩ、Ｏ２、Ｏ３      信号
【図１】
2018021855.tif 000003
【図２】
2018021855.tif 000004
【図３】
2018021855.tif 000005
【図４】
2018021855.tif 000006
【図５】
2018021855.tif 000007
【図６】
2018021855.tif 000008
【図７】
2018021855.tif 000009
【図８】
2018021855.tif 000010
【図９】
2018021855.tif 000011
【図１０】
2018021855.tif 000012
【図１１】
2018021855.tif 000013
【図１２】
2018021855.tif 000014
【図１３】
2018021855.tif 000015
【図１４】
2018021855.tif 000016
【図１５】
2018021855.tif 000017
【図１６】
2018021855.tif 000018
【図１７】
2018021855.tif 000019